(57)【要約】  ヒンジリッドパッケージの蓋閉まりを向上するとともに、開けやすいヒンジリッドパッケージを提供する。本発明は、上部に開口端を有し、内部に被収容物を収容する略直方体形状の収容部と、前記開口端の後側開口縁にヒンジを介して回動可能に連結され、前記開口端を開閉する蓋部と、を含むパッケージ本体を備えるヒンジリッドパッケージであって、前記パッケージ本体の後壁側に設けられ、当該パッケージ本体の後壁側を覆う後壁と、当該後壁と直交する、上壁、下壁、及び側壁を含むアウタを更に備え、前記アウタの奥行は前記パッケージ本体の奥行よりも短く、前記アウタの下壁の少なくとも一部は前記パッケージ本体の下壁と接続され、前記アウタの上壁の少なくとも一部は前記蓋部の上壁と接続される。
2014068702.tif 000002
【特許請求の範囲】
【請求項１】
上部に開口端を有し、内部に被収容物を収容する略直方体形状の収容部と、
前記開口端の後側開口縁にヒンジを介して回動可能に連結され、前記開口端を開閉する蓋部と、を含むパッケージ本体を備えるヒンジリッドパッケージであって、
前記パッケージ本体の後壁側に設けられ、当該パッケージ本体の後壁側を覆う後壁と、当該後壁と直交する、上壁、下壁、及び側壁を含むアウタを更に備え、前記アウタの奥行は前記パッケージ本体の奥行よりも短く、前記アウタの下壁の少なくとも一部は前記パッケージ本体の下壁と接続され、前記アウタの上壁の少なくとも一部は前記蓋部の上壁と接続される、ヒンジリッドパッケージ。
【請求項２】
前記アウタの奥行は、前記パッケージ本体の奥行の略２分の１である、請求項１に記載のヒンジリッドパッケージ。
【請求項３】
前記アウタの下壁は、前記蓋部の開閉域を広げるための弾性部を介して、前記パッケージ本体の下壁と接続される、請求項１又は２に記載のヒンジリッドパッケージ。
【請求項４】
前記パッケージ本体の前壁側に設けられ、前記収容部と前記蓋部とを跨いで覆い、前記蓋部の回動を規制するカバーを更に備える、請求項１から３の何れか１項に記載のヒンジリッドパッケージ。
【発明の詳細な説明】
【技術分野】
【０００１】
本発明は、ヒンジリッドパッケージに関する。
【背景技術】
【０００２】
従来、たばこ商品等の被収容物を収容するパッケージ（包装）として、ソフトパック型パッケージ、ハード型パッケージ等が公知である。ハード型パッケージの１つの形態として、蓋（リッド）を備えたヒンジリッドパッケージ（ヒンジリッドボックスとも言う）が知られている。この種のヒンジリッドパッケージは、通常、ボックス状の外形を有し、シガレット束を収容する収容部と、収容部の上部に形成される開口端を開閉するための蓋が、開口端の縁部に沿って設けられるヒンジを介して回動自在に連結されている。【０００３】
従来のヒンジリッドパッケージは、蓋（リッド）が確実に閉まらないという課題を有していた。このような課題を解決するものとして、いくつのかのヒンジリッドパッケージが提案されている。例えば、特許文献１には、内箱部材を前面開放型のケース内に収容する技術が開示されている。
【先行技術文献】
【特許文献】
【０００４】
【特許文献１】特表２０１０−５３３６２８号公報
【特許文献２】特表２００４−５２８０５１号公報
【発明の概要】
【発明が解決しようとする課題】
【０００５】
従来のヒンジリッドパッケージは、蓋閉まりが弱く、蓋が閉じた状態を保持することが困難であった。このような課題を解決するものとして、内箱部材を前面開放型のケース内に収容する技術がある。この従来技術では、ケースの奥行が内箱部材の奥行とほぼ同じに構成されていた。そのため、ケースの背面に形成された穴部より内箱部材を押し出さなければ蓋を開くことができないため、開け難いことが懸念されていた。【０００６】
本発明は、上記の問題に鑑み、ヒンジリッドパッケージの蓋閉まりを向上するとともに、開けやすいヒンジリッドパッケージを提供することを課題とする。
【課題を解決するための手段】
【０００７】
本発明は、上述した課題を解決するため、パッケージ本体をアウタに収容するとともに、アウタの奥行をパッケージ本体の奥行よりも短くすることとした。【０００８】
詳細には、本発明は、上部に開口端を有し、内部に被収容物を収容する略直方体形状の収容部と、前記開口端の後側開口縁にヒンジを介して回動可能に連結され、前記開口端を開閉する蓋部と、を含むパッケージ本体を備えるヒンジリッドパッケージであって、前記パッケージ本体の後壁側に設けられ、当該パッケージ本体の後壁側を覆う後壁と、当該後壁と直交する、上壁、下壁、及び側壁を含むアウタを更に備え、前記アウタの奥行は前記パッケージ本体の奥行よりも短く、前記アウタの下壁の少なくとも一部は前記パッケージ本体の下壁と接続され、前記アウタの上壁の少なくとも一部は前記蓋部の上壁と接続される。【０００９】
本発明に係るヒンジリッドパッケージは、パッケージ本体の後壁側を覆う後壁と、当該後壁と直交する、上壁、下壁、及び側壁を含むアウタを備え、当該アウタ内に収容部と蓋部を含むパッケージ本体が収容されることで、蓋部が閉じた状態における蓋部の回動を規制することができる。そのため、ヒンジリッドパッケージの蓋閉まりを向上することができる。また、アウタの奥行がパッケージ本体の奥行よりも短いため、蓋部の回動を規制して蓋閉まりを向上するとともに、従来よりも小さい外力で蓋部を開閉することができる。【００１０】
アウタの下壁とパッケージ本体の下壁との接続、及びアウタの上壁と蓋部の上壁との接続は、蓋部を開閉する際、パッケージ本体がアウタから離脱する動作を補助できる構成であればよい。パッケージ本体がアウタから離脱する動作を補助できる構成には、ヒンジによる接続構成、弾性変形による接続構成が例示される。【００１１】
ここで、前記アウタの奥行は、前記パッケージ本体の奥行の略２分の１にすることができる。これにより、蓋閉まりの向上と、開閉の容易性の向上とをバランスよく実現することができる。【００１２】
また、前記アウタの下壁は、前記蓋部の開閉域を広げるための弾性部を介して、前記パッケージ本体の下壁と接続されるようにしてもよい。弾性部をアウタの下壁とパッケージ本体の下壁とを接続することで、アウタの下壁とパッケージ本体の下壁との接続部分が弾性変形可能になる。これにより、蓋部を開閉する際のパッケージ本体の移動量を増すことができ、蓋部の開度を増すことができる。【００１３】
また、本発明に係るヒンジリッドパッケージは、前記パッケージ本体の前壁側に設けられ、前記収容部と前記蓋部とを跨いで覆い、前記蓋部の回動を規制するカバーを更に備える構成としてもよい。カバーが収容部と蓋部とを跨いで覆うことで、蓋部が閉じた状態において蓋部の回動をより規制することができる。そのため、ヒンジリッドパッケージのリッドをより確実に閉めることができる。また、カバーには、収容部や蓋部に加えて更に印刷を施すことができる。そのため、従来よりも多くの印刷スペースを確保することができ、消費者へのアピール力を高めることができる。パッケージ本体やカバーの表面には、エンボス加工、ニスを厚く盛り凹凸をつける、静電植毛を施す等の加工を施し、アピール力をより高めてもよい。なお、本発明に係るヒンジリッドパッケージは、パッケージ本体とアウタとを備える構成としてもよい。また、本発明に係るヒンジリッドパッケージは、パッケージ本体とカバーとを備える構成としてもよい。更に、本発明に係るヒンジリッドパッケージは、パッケージ本体とカバーとアウタとを備える構成としてもよい。【００１４】
ここで、本発明に係るヒンジリッドパッケージは、前記収容部と前記蓋部を跨ぐ直線状の係合部を備え、前記カバーは、前記係合部と係合する被係合部を有する構成としてもよい。【００１５】
本発明に係るヒンジリッドパッケージでは、直線状の係合部と被係合部を係合することで、蓋部の回動が規制される。すなわち、直線状の係合部は、収容部と蓋部を跨いでいる。換言すると、直線状の係合部は、収容部と蓋部との双方に渡って設けられている。そのため、この直線状の係合部に被係合部を係合することで、パッケージ本体とカバーは、係合部の軸方向における、相対的なスライド運動のみが許容されることになる。その結果、蓋部の回動が規制される。【００１６】
また、前記カバーは、前記パッケージ本体に対してスライド自在としてもよい。スライド自在とすることで、カバーをパッケージ本体から取り外すことなく蓋部を回動することができる。例えば、カバーを、収容部側、又は蓋部側にスライドし、カバーが収容部と蓋部とを跨いで覆う状態を解除することで、蓋部の回動が規制されている状態が解除される。その結果、蓋部の回動が可能となる。なお、カバーは、パッケージ本体に対して取り外し自在な構成としてもよい。なお、ヒンジリッドパッケージがアウタを備える場合には、アウタによる蓋部の回動の規制を更に解除する必要がある。【００１７】
また、本発明に係るヒンジリッドパッケージは、前記カバーが前記蓋部側にスライドした際、当該カバーと前記蓋部が結合する結合部を更に備え、前記カバーと前記蓋部とが結合し、前記カバーは、前記蓋部とともに回動するようにしてもよい。本発明は、カバーをヒンジリッドパッケージの前壁側に設けた場合の一態様である。ヒンジリッドパッケージが更に結合部を備えることで、カバーを、蓋部とともに回動することが可能となる。【００１８】
また、本発明に係るヒンジリッドパッケージは、前記カバーと前記蓋部との結合を誘導する、誘導部を更に備える構成としてもよい。これにより、カバーと蓋部との結合をより円滑に行うことができる。【００１９】
ヒンジリッドパッケージの収容部に収容する被収容物は特に限定されるものではないが、棒状物品の集合体、例えばたばこ商品を被収容物として好適に例示できる。すなわち、本発明に係る被収容物はたばこ商品であってもよい。なお、たばこ商品とは、例えば紙巻たばこ（フィルタシガレット、両切たばこ（フィルタ無し））、シガー（葉巻）、シガリロ、スヌース、嗅ぎたばこ、チューイングたばこ、電子たばこ等が例示できる。【００２０】
なお、本発明における課題を解決するための手段は、可能な限り組み合わせて採用することができる。
【発明の効果】
【００２１】
本発明によれば、ヒンジリッドパッケージの蓋閉まりを向上するとともに、開けやすいヒンジリッドパッケージを提供することができる。
【図面の簡単な説明】
【００２２】
【図１】図１は、第一実施形態に係るヒンジリッドパッケージのリッドを閉じた状態の斜視図を示す。
【図２Ａ】図２Ａは、第一実施形態に係るヒンジリッドパッケージのリッドを開放した状態の斜視図を示す（１）。
【図２Ｂ】図２Ｂは、第一実施形態に係るヒンジリッドパッケージのリッドを開放した状態の斜視図を示す（２）。
【図３】図３は、第一実施形態に係るヒンジリッドパッケージの分解斜視図を示す。
【図４Ａ】図４Ａは、第一実施形態に係るブランク（第１ブランク）を示す。
【図４Ｂ】図４Ｂは、第一実施形態に係るブランク（第２ブランク）を示す。
【図４Ｃ】図４Ｃは、第一実施形態に係るブランク（第４ブランク）を示す。
【図５Ａ】図５Ａは、第一実施形態に係るヒンジリッドパッケージの動作を説明する側面図を示す（１）。
【図５Ｂ】図５Ｂは、第一実施形態に係るヒンジリッドパッケージの動作を説明する側面図を示す（２）。
【図６】図６は、第二実施形態に係るヒンジリッドパッケージのリッドを閉じた状態の斜視図を示す。
【図７Ａ】図７Ａは、第二実施形態に係るヒンジリッドパッケージのリッドを開放した状態の斜視図を示す（１）。
【図７Ｂ】図７Ｂは、第二実施形態に係るヒンジリッドパッケージのリッドを開放した状態の斜視図を示す（２）。
【図８】図８は、第二実施形態に係るヒンジリッドパッケージの分解斜視図を示す。
【図９Ａ】図９Ａは、第二実施形態に係るブランク（第１ブランク）を示す。
【図９Ｂ】図９Ｂは、第二実施形態に係るブランク（第２ブランク）を示す。
【図９Ｃ】図９Ｃは、第二実施形態に係るブランク（第４ブランク）を示す。
【図１０Ａ】図１０Ａは、第二実施形態に係るヒンジリッドパッケージの動作を説明する側面図を示す（１）。
【図１０Ｂ】図１０Ｂは、第二実施形態に係るヒンジリッドパッケージの動作を説明する側面図を示す（２）。
【図１０Ｃ】図１０Ｃは、第二実施形態に係るヒンジリッドパッケージの動作を説明する側面図を示す（３）。
【図１１】図１１は、第三実施形態に係るヒンジリッドパッケージのリッドを閉じた状態の斜視図を示す。
【図１２】図１２は、第三実施形態に係るヒンジリッドパッケージのリッドを開放した状態の斜視図を示す。
【図１３】図１３は、第三実施形態に係るヒンジリッドパッケージにおいて、カバーがパッケージから取り外され、リッドが開放された状態の斜視図を示す。
【図１４Ａ】図１４Ａは、第三実施形態に係るヒンジリッドパッケージの斜視図を示す。
【図１４Ｂ】図１４Ｂは、第三実施形態に係るヒンジリッドパッケージの断面図を示す。
【図１５Ａ】図１５Ａは、第三実施形態に係るブランク（第１ブランク）を示す。
【図１５Ｂ】図１５Ｂは、第三実施形態に係るブランク（第２ブランク）を示す。
【図１５Ｃ】図１５Ｃは、第三実施形態に係るブランク（第３ブランク）を示す。
【図１６Ａ】図１６Ａは、第三実施形態に係るヒンジリッドパッケージの動作を説明する斜視図を示す（１）。
【図１６Ｂ】図１６Ｂは、第三実施形態に係るヒンジリッドパッケージの動作を説明する斜視図を示す（２）。
【図１６Ｃ】図１６Ｃは、第三実施形態に係るヒンジリッドパッケージの動作を説明する斜視図を示す（３）。
【図１７Ａ】図１７Ａは、第三実施形態に係るヒンジリッドパッケージの動作を説明する断面図（１）を示す。
【図１７Ｂ】図１７Ｂは、第三実施形態に係るヒンジリッドパッケージの動作を説明する断面図（２）を示す。
【図１７Ｃ】図１７Ｃは、第三実施形態に係るヒンジリッドパッケージの動作を説明する断面図（３）を示す。
【図１７Ｄ】図１７Ｄは、第三実施形態に係るヒンジリッドパッケージの動作を説明する断面図（４）を示す。
【図１７Ｅ】図１７Ｅは、第三実施形態に係るヒンジリッドパッケージの動作を説明する断面図（５）を示す。
【図１８】図１８は、第四実施形態に係るヒンジリッドパッケージの斜視図を示す。
【図１９Ａ】図１９Ａは、第四実施形態に係るブランク（第１ブランク）を示す。
【図１９Ｂ】図１９Ｂは、第四実施形態に係るブランク（第３ブランク）を示す。
【図２０Ａ】図２０Ａは、第四実施形態に係るヒンジリッドパッケージの動作を説明する断面図を示す（１）。
【図２０Ｂ】図２０Ｂは、第四実施形態に係るヒンジリッドパッケージの動作を説明する断面図を示す（２）。
【図２０Ｃ】図２０Ｃは、第四実施形態に係るヒンジリッドパッケージの動作を説明する断面図を示す（３）。
【図２１】図２１は、第五実施形態に係るヒンジリッドパッケージのリッドを閉じた状態の斜視図を示す。
【図２２】図２２は、第五実施形態に係るヒンジリッドパッケージのリッドを開放した状態の斜視図を示す。
【図２３】図２３は、第五実施形態に係るヒンジリッドパッケージにおいて、カバー及びアウタがパッケージから取り外され、リッドが開放された状態の斜視図を示す。
【図２４Ａ】図２４Ａは、第五実施形態に係るブランク（第１ブランク）を示す。
【図２４Ｂ】図２４Ｂは、第五実施形態に係るブランク（第２ブランク）を示す。
【図２４Ｃ】図２４Ｃは、第五実施形態に係るブランク（第３ブランク）を示す。
【図２４Ｄ】図２４Ｄは、第五実施形態に係るブランク（第４ブランク）を示す。
【図２５Ａ】図２５Ａは、第五実施形態に係るヒンジリッドパッケージの動作を説明する断面図を示す（１）。
【図２５Ｂ】図２５Ｂは、第五実施形態に係るヒンジリッドパッケージの動作を説明する断面図を示す（２）。
【図２５Ｃ】図２５Ｃは、第五実施形態に係るヒンジリッドパッケージの動作を説明する断面図を示す（３）。
【図２５Ｄ】図２５Ｄは、第五実施形態に係るヒンジリッドパッケージの動作を説明する断面図を示す（４）。
【発明を実施するための形態】
【００２３】
次に、本発明に係るヒンジリッドパッケージの実施形態について、図面に基づいて説明する。本発明が適用されるヒンジリッドパッケージに収容する被収容物は特定のものに限定されないが、ここでは、フィルタシガレットや両切シガレット等のたばこ商品をパッケージに収容する場合を例に説明する。また、本実施形態に記載されている構成要素の、材質、形状、その相対配置等は、特に特定的な記載がない限りは、発明の技術的範囲をそれらのみに限定する趣旨のものではない。
【００２４】
＜第一実施形態＞
（構成）
図１は、第一実施形態に係るヒンジリッドパッケージ（以下、単に“パッケージ”という）１０１のリッド３を閉じた状態の斜視図を示す。図２Ａ、図２Ｂは、パッケージ１０１のリッド３を開放した状態の斜視図を示す。図３は、パッケージ１０１の分解斜視図を示す。パッケージ１０１は、略直方体形状を有する所謂ヒンジ蓋付きボックス型パッケージである。パッケージ１０１は、収容部としてのアウタボックス２１と、アウタボックス２１に第１ヒンジ６を介して回動自在に連結される蓋部材としてのリッド３を含むパッケージ本体２と、パッケージ本体２の後壁側に設けられたアウタ７を含んで構成されている。以下、本明細書では、特に言及する場合を除いて、パッケージ１０１の正面側を“前方”と定義し、背面側を“後方”と定義する。また、パッケージ１０１のリッド側を“上方”と定義し、反対側（パッケージの底側）を“下方”と定義する。第一実施形態に係るパッケージ１０１は、例えば紙材、又は樹脂によって構成することができるが、これには限定されない。
【００２５】
アウタボックス２１は、直方体形状の上端側が斜めに切り欠かれた形状を有する箱体である。アウタボックス２１は、前壁２３、後壁２４、側壁２５、下壁２６を有する。前壁２３及び後壁２４は夫々長方形であり、後壁２４は前壁２３に比べて高さ寸法が長尺の長方形であり、前壁２３と対向している。一組の側壁２５は、前壁２３及び後壁２４の両側縁と連結され、長方形の上端が斜辺となった台形状である。すなわち、側壁２５の上端縁２５１は、前壁２３の上端と後壁２４の上端とを結ぶように傾斜している。下壁２６は、長方形であり、前壁２３及び後壁２４の下端に連結されている。
【００２６】
また、アウタボックス２１の後壁２４の上端には第１ヒンジ６が形成されている。この第１ヒンジ６は、各側壁２５の上端縁２５１の後部間に亘って延伸し、後壁２４とリッド３とを相互に回動自在に連結している。以上のように構成されるアウタボックス２１は、その上端に開口端２１１を備えている。そして、この開口端２１１の後側縁に、第１ヒンジ６を介してリッド３が、回動（旋回）自在に接合（連結）されている。
【００２７】
インナフレーム２２は、略Ｕ字形状の前面フレーム２８と、この前面フレーム２８の両側縁に連結された側面フレーム２９とを有する。インナフレーム２２は、アウタボックス２１の上部の開口端２１１から部分的に上方へ突出した状態で、アウタボックス２１の内面、具体的には、前壁２３及び側壁２５の内面に接着されている。インナフレーム２２は、アウタボックス２１の開口端２１１を補強するとともに、リッド３の開閉を案内するガイドとしても機能する。
【００２８】
前面フレーム２８は、図２Ａ、図２Ｂに示すように略長方形の切欠き凹部２８ａを有する。切欠き凹部２８ａは、インナフレーム２２の前面を大きく開き、たばこ商品（被収容物）の取り出しを容易にしている。
【００２９】
なお、インナフレーム２２は、パッケージ１０１を構成する上で必須の部材ではない。すなわち、インナフレーム２２を省略し、パッケージ１０１は、より簡易な構成としてもよい。また、第一実施形態では、インナフレーム２２を、アウタボックス２１とは別部材としてアウタボックス２１の内面に接着しているが、これらを同一のブランク（材）で形成してもよい。また、アウタボックス２１の前壁２３の上端を、切欠き凹部２８ａと同様な形状とすることで、インナフレーム２２を省略してもよい。
【００３０】
リッド３は、第１ヒンジ６に連結されている長方形の後壁３１と、後壁３１に直交するように連結されている長方形の上壁３２と、上壁３２に直交するように連結されている長方形の前壁３３と、一組の側壁３４とを有している。リッド３の一組の側壁３４は、夫々台形状であり、後壁３１、上壁３２及び前壁３３の各側縁と連結されている。上記のようにリッド３は第１ヒンジ６を中心に回動自在であり、リッド３が閉じた際に、その側壁３４の斜辺すなわち側壁３４の傾斜下端縁が、アウタボックス２１における側壁２５の上端縁２５１と互いに合致する。
【００３１】
アウタ７は、後壁７４、側壁７３、上壁７２、下壁７１を有する。アウタ７の後壁７４は長方形であり、パッケージ本体２の後壁側の面積（アウタボックス２１の後壁２４の面積とリッド３の後壁３１の面積とを足した面積）と凡そ同じ面積を有している。そのため、アウタ７は、アウタボックス２１の後壁２４及びリッド３の後壁３１の全面を覆う。アウタ７の側壁７３は、後方側の縁がアウタ７の後壁７４の両側縁と連結され、上下方向の縁がアウタ７の上壁７２及び下壁７１の夫々の両側縁と連結している。アウタ７の一組の側壁７３は、長方形であり、互いに対向しており、アウタ７の後壁７４と一組のアウタ７の側壁７３は直交している。第一実施形態では、アウタ７の側壁７３の奥行（短手方向の長さ）が、パッケージ本体２の奥行の約２分の１に設計されている。なお、アウタ７の側壁７３の奥行の寸法は、上記に限定されるものではない。例えば、アウタ７の側壁７３の奥行の寸法は、パッケージ本体２の奥行の寸法の約４分の１から３分の１でも本発明の目的は達成できる。但し、アウタ７の側壁７３の奥行の寸法は、特にパッケージ本体２の奥行の約２分の１とすることでリッド３の開け易さの向上と、蓋閉まりの向上をバランスよく実現できる。また、例えば、リッド３側の奥行をパッケージ本体２の奥行の約２分の１とし、下壁２６側に向けて奥行を徐々に短くしてもよい。アウタ７の側壁７３の高さ（長手方向の長さ）は、パッケージ本体２の高さよりも僅かに大きく設計され、アウタ７内にパッケージ本体２を収容できるようになっている。
【００３２】
アウタ７の上壁７２は、前方側の領域７２２と後方側の領域７２１とによって構成されており、アウタ７の後壁７４及び側壁７３と直交している。アウタ７の上壁７２の奥行は、前方側の領域７２２が内側に折り返されることで、パッケージ本体２の奥行の約２分の１に設計されている。後方側の領域７２１は、長方形であり、リッド３の上壁３２の約２分の１の面積を有している。また、前方側の領域７２２も長方形であり、後方側の領域７２１と同じく、リッド３の上壁３２の約２分の１の面積を有している。前方側の領域７２２は、内側に折り返され、リッド３の上壁３２の後方側の領域に接続される。アウタ７の上壁７２と後方側領域７２１との境界、換言すると前方側の領域７２２と後方側の領域７２１との境界にある折り目は、リッド３を開放する際の第２ヒンジ６１として機能する。
【００３３】
アウタ７の下壁７１も長方形であり、アウタ７の後壁７４及び側壁７３と直交している。アウタ７の下壁７１の奥行は、パッケージ本体２の奥行とほぼ同様に設計されている。また、アウタ７の下壁７２は、前方側の領域７１２と後方側の領域７１１とを備え、各領域７１１，７１２の奥行は夫々パッケージ本体２の奥行の約２分の１に設計されている。前方側の領域７１２の内面が接着領域であり、アウタボックス２１の下壁２６の外面の前方側に接着される。そして、前方側の領域７１２と後方側の領域７１１との境界が、リッド３を開放する際の第３ヒンジ６２として機能する。
【００３４】
（ブランク）
第一実施形態において、パッケージ１０１は、アウタボックス２１及びリッド３を成形する第１ブランクＢ１と、インナフレーム２２を成形する第２ブランクＢ２と、アウタ７を成形する第４ブランクＢ４の各所を折り込み、接合することで成形することができる。図４Ａは、第１ブランクＢ１を示し、図４Ｂは、第２ブランクＢ２を示し、図４Ｃは、第４ブランクＢ４を示す。第１ブランクＢ１，第２ブランクＢ２，第４ブランクＢ４にはカード紙、マニラボール紙等の紙材、又はプラスチックシートなどの樹脂を用いることができるが、これらに限定されるものではない。また、ブランクの説明では、図の上下方向を基準に説明する。
【００３５】
図４Ａに示すように、第１ブランクＢ１は、アウタボックス２１となるアウタボックス区域Ｒ１、リッド３となる蓋区域Ｒ２を有している。アウタボックス区域Ｒ１は、アウタボックス２１の前壁２３となる前壁パネルＰ１を有しており、前壁パネルＰ１の両側縁には、アウタボックス２１の側壁２５となる側壁パネルＰ２,Ｐ２が連なっている。
【００３６】
また、前壁パネルＰ１の上縁（図４Ａにおける上縁）には、アウタボックス２１の下壁２６となる下壁（底板）パネルＰ３が連なっている。下壁パネルＰ３には、前壁パネルＰ１とは反対側に位置してアウタボックス２１の後壁２４となる後壁パネルＰ４が連なっている。この後壁パネルＰ４の両側縁には、側壁パネルＰ２に対するインナサイドフラップＰ５,Ｐ５が連なっている。更に、各インナサイドフラップＰ５の下縁には、インナボトムフラップＰ６が連なっており、これらインナボトムフラップＰ６は下壁パネルＰ３に重ね合わされ、アウタボックス２１の下壁２６の補強をなす。
【００３７】
蓋区域Ｒ２は、リッド３の後壁３１となる後壁パネルＰ７を有しており、後壁パネルＰ７の下縁は、第１ヒンジ６となる第１ヒンジラインＬ１を介してアウタボックス区域Ｒ１の後壁パネルＰ４と連結されている。また、蓋区域Ｒ２の後壁パネルＰ７の上縁には、リッド３の上壁３２となる上壁パネルＰ８が連なっている。また、後壁パネルＰ７の両側縁には、リッド３の側壁３４の一部となるインナサイドフラップＰ９が夫々連なっている。そして、各インナサイドフラップＰ９の上縁には、インナトップフラップＰ１０が連なっており、これらインナトップフラップＰ１０は上壁パネルＰ８に重ね合わされ、上壁３２の補強をなす。
【００３８】
更に、上壁パネルＰ８の上縁には、後壁パネルＰ７とは反対側に位置してリッド３の前壁３３となる前壁パネルＰ１１が連なっている。前壁パネルＰ１１の上縁には、前壁補強パネルＰ１１−１が更に連なっている。前壁補強パネルＰ１１−１が内側に折り返され、前壁パネルＰ１１に重ねあわされ、接着されることで、リッド３の前壁３３の補強をなす。また、前壁パネルＰ１１の両側縁には、リッド３における側壁３４となる側壁パネルＰ１２が夫々連なっている。上述したインナサイドフラップＰ９は、側壁パネルＰ１３に重ね合わされ、接着されることで、側壁３４の補強をなす。
【００３９】
図４Ｂに示すように、第２ブランクＢ２は、インナフレーム２２の前面フレーム２８となる前面パネルＰ１３を有し、前面パネルＰ１３の両側縁には、インナフレーム２２の側面フレーム２９となる側面フラップＰ１４が夫々連なっている。
【００４０】
図４Ｃに示すように、第４ブランクＢ４は、アウタ７の後壁７４となる後壁パネルＰ２１を有しており、後壁パネルＰ２１の下縁には、アウタ７の下壁７１となる下壁パネルＰ２２が連なっている。また、後壁パネルＰ２１の上縁には、前方側の領域７２２と後方側の領域７２１を含むアウタ７の上壁７２となる上壁パネルＰ２５が連なっている。後壁パネルＰ２１の両側縁には、アウタ７の側壁７３となる側壁パネルＰ２３，Ｐ２３が夫々連なっている。側壁パネルＰ２３，Ｐ２３の下縁には、インナボトムフラップＰ２４が夫々連なっており、これらのインナボトムフラップＰ２４は下壁パネルＰ２２に重ね合わされ、接着されることで、下壁７１の補強をなす。また、側壁パネルＰ２３，Ｐ２３の上縁には、インナトップフラップＰ２６が夫々連なっており、これらのインナトップフラップＰ２６は上壁パネルＰ２５に重ね合わされ、接着されることで、上壁７２の補強をなす。
【００４１】
上述した第１ブランクＢ１、第２ブランクＢ２、及び第４ブランクＢ４は、図４Ａ、図４Ｂ、図４Ｃ中破線で示した折り込み線で夫々折り込まれる。その結果、図１から図３に示すようなアウタボックス２１とリッド３を含むパッケージ本体２、及びアウタ７が夫々成形される。第１ブランクＢ１のアウタボックス区域Ｒ１においては、各折り込み線で折り込まれ、インナボトムフラップＰ６が下壁パネルＰ３に重ねられ、インナサイドフラップＰ５が側壁パネルＰ２に接着されることで、パッケージ本体２のアウタボックス２１が成形される。そして、アウタボックス区域Ｒ１の前壁パネルＰ１に対して、第２ブランクＢ２の前面パネルＰ１３が接着されることで、アウタボックス２１及びインナフレーム２２が一体となったパッケージ本体２が成形される。
【００４２】
一方、第１ブランクＢ１の蓋区域Ｒ２においては、各折り込み線で折り込まれ、側壁パネルＰ１２がインナサイドフラップＰ９に接着され、インナトップフラップＰ１０が上壁パネルＰ８に重ねられることで、リッド３が成形される。
【００４３】
第４ブランクＢ４についても、折り込み線で夫々折り込まれて、インナボトムフラップＰ２４は下壁パネルＰ２２に重ね合わされて接着され、インナトップフラップＰ２６が上壁パネルＰ２５に重ね合わされて接着されることで、アウタ７が成型される。
【００４４】
（開閉動作）
次に、パッケージ１０１におけるリッド３の開閉動作について説明する。以下に説明する動作は、使用者が適宜外力を加えることで行われる。図５Ａ、図５Ｂは、第一実施形態に係るヒンジリッドパッケージの動作を説明する側面図を示す。
【００４５】
パッケージ１０１は、リッド３が閉じられた状態では、アウタ７とパッケージ１０１が接しており、アウタ７がパッケージ１０１の後方側を覆っている（図５Ａ参照）。パッケージ１０１に収容されているシガレットを取り出す必要が無い場合は、通常、パッケージ１０１は、図５Ａに示す状態である。この状態では、アウタ７がパッケージ１０１の後方側を覆い、アウタ７の一組の側壁７３，７３、上壁７２、下壁７１でパッケージ本体２の周囲が覆われている。特に、アウタ７の上壁７２と下壁７１によって、リッド３を開く際に必要となる上下方向（図５Ａでは、左右方向）の動きが規制されている。従って、第一実施形態に係るパッケージ１０１では、リッド３の開閉が規制される。
【００４６】
パッケージ１０１に収容されているシガレットを取り出す場合、パッケージ本体２に対して前方（図５Ａでは、上方）への外力が加えられることで、アウタ７によるリッド３の回動の規制が解除される（図５Ｂ参照）。具体的には、パッケージ本体２に対して前方への外力が加えられると、パッケージ本体２が前方に徐々に移動し、アウタ７の上壁７２及び下壁７１によるパッケージ本体２の上下方向の移動を規制する力が徐々に弱まる。そして、パッケージ本体２に対する前方へ加えられる外力が、アウタ７の上壁７２及び下壁７１によるパッケージ本体２の上下方向の移動を規制する力を上回ると、リッド３が第１ヒンジ６を軸として回動する。ここで、リッド３の上壁３２の後方側はアウタ７の上壁７２の後方側の領域７２２と接着されているが、リッド３の上壁３２の前方側は接着されていない。そのため、リッド３が第１ヒンジ６を軸として回動すると、アウタ７の上壁７２の後方側の領域７２２との境界（前方側の領域７２２と後方側の領域７２１との境界）に存在する第２ヒンジ６１を軸としてリッド３の回動が許容される。また、アウタボックス２１の下壁２６の前方側がアウタ７の下壁７１の前方側の領域７１２と接着されているが、アウタボックス２１の下壁２６の後方側は接着されていない。そのため、リッド３が第１ヒンジ６を軸として回動すると、前方側の領域７１２と後方側の領域７１１との境界に存在する第３ヒンジ６２を軸としてアウタボックス２１の回動が許容される。その結果、アウタ７と接していたパッケージ本体２がアウタ７から離れ、アウタ７の上壁７２と下壁７１によって規制されていたリッド３を開く際に必要となる上下方向の動きの規制が解除される。これにより、リッド３の開閉が可能となる。
【００４７】
（効果）
第一実施形態に係るパッケージ１０１は、アウタ７がパッケージ１０１の後方側を覆い、アウタ７の一組の側壁７３，７３、上壁７２、下壁７１でパッケージ本体２の周囲が覆われている。特に、アウタ７の上壁７２と下壁７１によって、リッド３を開く際に必要となる上下方向の動きが規制されている。そのため、リッド３の回動を規制することができ、パッケージ１０１のリッド３をより確実に閉めることができる。また、アウタ７の奥行がパッケージ本体２とリッド３の奥行の約２分の１であるため、外力を加えると、アウタ７の上壁７２と下壁７１によって規制されていたリッド３を開く際に必要となる上下方向の動きの規制を従来よりも容易に解除することができる。すなわち、蓋閉まりを向上するとともに、従来よりも小さい外力で蓋部を開閉することができる。
【００４８】
＜第二実施形態＞
（構成）
図６は、第二実施形態に係るヒンジリッドパッケージ１０２のリッド３を閉じた状態の斜視図を示す。図７Ａ、図７Ｂは、パッケージ１０２のリッド３を開放した状態の斜視図を示す。図８は、パッケージ１０２の分解斜視図を示す。第二実施形態に係るパッケージ１０２は、アウタ７ａとパッケージ本体２との接続構造が第一実施形態と異なる。なお、第一実施形態に係るパッケージ１０１と同様の構成については同一符号を付し、説明は割愛する。
【００４９】
第二実施形態に係るパッケージ１０２は、第一実施形態と同様に、アウタ７ａの上壁７２が、前方側の領域７２２と後方側の領域７２１を備える。但し、第二実施形態に係るパッケージ１０２では、前方側の領域７２２が内側に折り返されずに、リッド３の上壁３２の前方側の領域に接続されている。なお、第一実施形態と同様に、前方側の領域７２２と後方側の領域７２１との境界は、リッド３を開放する際の第２ヒンジ６１として機能する。
【００５０】
また、第二実施形態に係るパッケージ１０２では、アウタ７ａの下壁７１ａが、前方側の領域７１２ａと後方側の領域７１１ａとを備え、各領域７１２ａ，７１１ａの奥行は夫々パッケージ本体２の奥行の約２分の１に設計されている。また、アウタ７ａの下壁７１ａは、前方側の領域７１２ａと後方側の領域７１１ａとの境界に切り込み７１４が形成されている。この切り込み７１４は、中央から両側縁の手前まで直線状に伸び、切り込み７１４の両端部には、逆Ｕ字状のＵ字切り込みが設けられている。換言すると、後方側の領域７１１ａの前方側の縁の両端部には、前方側に突出した小フラップ７１３が夫々設けられている。そして、前方側の領域７１２ａ、かつ、小フラップ７１３よりも内側の内面が接着領域であり、この接着領域がアウタボックス２１の下壁２６の外面の前方側に接着されている。
【００５１】
第二実施形態に係るパッケージ１０２では、切り込み７１４及び小フラップ７１３を備えることで、アウタ７ａの下壁７１ａの弾性変形が可能となる。換言すると、アウタ７ａの下壁７１ａに弾性機能を持たせることができる。具体的には、前方側の領域７１２と後方側の領域７１１との境界を単に直線状の折り目としてヒンジとして機能させ、前方側の領域７１２の内面の全てをアウタボックス２１の下壁２６の前方側に接着する第一実施形態と比較して、パッケージ本体２の上方側への移動量を増やすことができる。その結果、リッド３の開度を増すことができる。
【００５２】
（ブランク）
図９Ａ、図９Ｂ、図９Ｃは、第二実施形態に係る各ブランクを示す。第１ブランクＢ１（図９Ａ参照）、及び第２ブランクＢ２（図９Ｂ参照）は、第一実施形態と同様である。第二実施形態に係る第４ブランクＢ４’ （図９Ｃ参照）は、下壁パネルＰ２２’に切り込み７１４、及び小フラップ７１３が設けられている点で第一実施形態と異なる。
【００５３】
（開閉動作）
次に、第二実施形態に係るパッケージ１０２のリッド３の開閉動作について説明する。図１０Ａ、図１０Ｂ、図１０Ｃは、第二実施形態に係るヒンジリッドパッケージの動作を説明する側面図を示す。
【００５４】
パッケージ１０２は、リッド３が閉じられた状態では、パッケージ１０２の後方側において、アウタ７ａとパッケージ本体２とが接しており、アウタ７ａがパッケージ本体２の後方側を覆っている（図１０Ａ参照）。リッド３が閉じられた状態は、第一実施形態と同様であり、アウタ７ａがパッケージ本体２の後方側を覆い、アウタ７ａの一組の側壁７３，７３、上壁７２、下壁７１ａでパッケージ本体２の周囲が覆われている。特に、アウタ７ａの上壁７２と下壁７１ａによって、リッド３を開く際に必要となる上下方向の動きが規制されている。従って、第二実施形態に係るパッケージ１０２では、リッド３の開閉が規制される。
【００５５】
パッケージ１０２に収容されているシガレットを取り出す場合、パッケージ本体２に対して前方（図１０Ａでは、上方）への外力が加えられることで、アウタ７ａによるリッド３の回動の規制が解除される（図１０Ｂ参照）。図１０Ｂに示す状態も基本的には、第一実施形態と同様であり、パッケージ本体２に対して前方への外力が加えられると、パッケージ本体２が前方に徐々に移動し、アウタ７ａの上壁７２及び下壁７１ａによるパッケージ本体２の上下方向の移動を規制する力が徐々に弱まる。そして、パッケージ本体２の前方へ加えられる外力が、アウタ７ａの上壁７２及び下壁７１ａによるパッケージ本体２の上下方向の移動を規制する力を上回ると、リッド３が第１ヒンジ６を軸として回動する。ここで、リッド３の上壁３２の前方側はアウタ７ａの上壁７２の前方側の領域７２２と接着されているが、リッド３の上壁３２の後方側の領域７２１は接着されていない。そのため、リッド３が第１ヒンジ６を軸として回動すると、前方側の領域７２２と後方側の領域７２１との境界に存在する第２ヒンジ６１を軸としてリッド３の回動が許容される。また、アウタボックス２１の下壁２６の前方側、かつ小フラップ７１３の内側の領域はアウタ７ａの下壁７１ａの前方側の領域７１２ａと接着されているが、小フラップ７１３の外側の領域及びアウタボックス２１の下壁２６の後方側は接着されていない。そのため、アウタボックス２１の下壁２６が弾性変形する。具体的には、リッド３が第１ヒンジ６を軸として回動すると、前方側の領域７１２ａと後方側の領域７１１ａとの境界がヒンジ６２として機能するとともに、小フラップ７１３の外側に位置する、アウタ７ａの下壁７１の前方側の領域７１２ａと後方側の領域７１１ａとの接続部分が撓み、アウタ７ａの下壁７１ａが弾性変形する。これにより、前方側の領域７１２と後方側の領域７１１との境界を単に直線状の折り目とし、前方側の領域７１２の内面の全てをアウタボックス２１の下壁２６の前方側に接着する第一実施形態と比較して、パッケージ本体２及びリッド３の上方側への移動量を増やすことができる（図１０Ｃ参照）。その結果、リッド３の開度を増すことができる。
【００５６】
（効果）
第二実施形態に係るパッケージ１０２は、アウタ７ａがパッケージ１０２の後方側を覆い、アウタ７ａの一組の側壁７３，７３、上壁７２、下壁７１ａでパッケージ本体２の周囲が覆われている。特に、アウタ７ａの上壁７２と下壁７１ａによって、リッド３を開く際に必要となる上下方向の動きが規制されている。そのため、リッド３の回動を規制することができ、パッケージ１０２のリッド３をより確実に閉めることができる。また、アウタ７ａの奥行がパッケージ本体２の奥行の約２分の１であるため、外力を加えると、アウタ７の上壁７２と下壁７１ａによって規制されていたリッド３を開く際に必要となる上下方向の動きの規制を従来よりも容易に解除することができる。すなわち、蓋閉まりを向上するとともに、従来よりも小さい外力で蓋部を開閉することができる。更に、アウタ７ａの下壁７１ａが弾性変形するため、前方側の領域７１２と後方側の領域７１１との境界を単に直線状の折り目とし、前方側の領域７１２の内面の全てをアウタボックス２１の下壁２６の前方側に接着する第一実施形態と比較して、パッケージ本体２の上方側への移動量を増やすことができる。その結果、リッド３の開度を増すことができる。
【００５７】
＜第三実施形態＞
（構成）
第三実施形態に係るヒンジリッドパッケージ１０３は、アウタボックス２１ａとリッド３ａとを含むパッケージ本体２ａと、カバー４とを含んで構成されている。なお、第一実施形態及び第二実施形態と同様の構成については同一符号を付し、説明は割愛する。
【００５８】
図１１は、リッド３ａが閉じられたパッケージ１０３を正面側の右斜め上方から眺めた状態を示す。図１２は、カバー４が結合されたリッド３ａが開放されたパッケージ１０３を正面側の右斜め上方から眺めた状態を示す。図１３は、カバー４がパッケージ１０３から取り外され、リッド３ａが開放されたパッケージ１０３を正面側の右斜め上方から眺めた状態を示す。なお、図１３は、説明の便宜上、カバー４とパッケージ１０３とを取り外した状態を示す。但し、図１２に示すように、通常、カバー４とパッケージ１０３は、結合されて使用される。図１４Ａは、第三実施形態に係るヒンジリッドパッケージの斜視図を示し、図１４Ｂは、図１４Ａのｂ―ｂ断面図を示す。
【００５９】
第三実施形態に係るパッケージ１０３は、パッケージ本体２ａに更に複数のフラップ５が設けられている点で、第一実施形態や第二実施形態に係るパッケージ１０１，１０２と構成が異なる。具体的には、第三実施形態に係るアウタボックス２１ａは、アウタボックス２１ａの前壁２３と側壁２５とのコーナー部分、及びリッド３ａの前壁３３と側壁３４のコーナー部分に、本発明の係合部に相当するフラップ５が複数設けられている。第三実施形態では、アウタボックス２１ａ側の複数のフラップ５は、何れも同じ寸法の長方形であり、アウタボックス２１ａの前壁２３と同一面上に、アウタボックス２１ａの前壁２３の両側縁から突出するように等間隔で配置されている。また、リッド３ａ側の複数のフラップ５も、何れも同じ寸法の長方形であり、リッド３ａの前壁３３と同一面上に、リッド３aの前壁３３の両側縁から突出するように等間隔で配置されている。そして、アウタボックス２１ａ側の複数のフラップ５とリッド３ａ側の複数のフラップ５は、リッド３ａが閉じた状態において、同一直線状に位置する。
【００６０】
第三実施形態に係るパッケージ１０３は、パッケージ本体２ａの前方側に設けられるカバー４を備えている。カバー４は、リッド３ａが閉じた状態において、アウタボックス２１ａの前壁２３及びリッド３ａの前壁３３の全面を覆う。
【００６１】
カバー４は、前壁４１、側壁４２，４２、上壁４３を有する。カバー４の前壁４１は長方形であり、アウタボックス２１ａの前壁２３の面積とリッド３ａの前壁３３の面積の和と凡そ同じ面積を有している。そのため、カバー４は、リッド３ａが閉じた状態において、アウタボックス２１ａの前壁２３及びリッド３ａの前壁３３の全面を覆うことができる。カバー４の側壁４２は、前側縁がカバー４の前壁４１の両側縁及びカバー４の上壁４３の前側縁と連結している。カバー４の一組の側壁４２は、長方形であり、互いに対向しており、カバー４の前壁４１とカバー４の一組の側壁４２は直交している。第三実施形態では、カバー４の側壁４２の奥行（短手方向の長さ）が、パッケージ本体２ａの奥行の約２分の１に設計されている。カバー４の側壁４２の高さ（長手方向の長さ）は、パッケージ本体２ａの高さよりも僅かに大きく設計されている。カバー４の上壁４３は、長方形であり、カバー４の前壁４１及び側壁４２と直交している。カバー４の上壁４３の奥行は、パッケージ本体２ａの奥行の約２分の１に設計され、カバー４の上壁４３の幅は、パッケージ本体２ａの幅よりも僅かに大きく設計されている。
【００６２】
また、カバー４の両側壁４２の内側の前壁４１側には、本発明の被係合部に相当する段差４４が設けられている（図１３、図１４Ｂ参照）。第三実施形態に係る段差４４は、カバー４の側壁４２の素材の厚さを利用して形成されている。具体的には、カバー４の側壁４２は、素材が折り返されることで２重構造であり、カバー４の前壁４１側の一部を１重構造とすることで、段差４４が形成されている。この段差４４には、先に説明した複数のフラップ５が係合する。段差４４に複数のフラップ５が係合することで、カバー４は、パッケージ１０３の前側面に沿って、上下方向の移動のみが許容される。
【００６３】
また、図１３に示すように、カバー４の前壁４１の下端縁には、前壁４１から延出し、前壁４１の下端縁で折り返された長方形の舌部４５が設けられている。舌部４５は、前壁４１と連結されている縁と反対側の縁（以下、開放縁４５１とする）の両角部がＲ状であり、この開放縁４５１の中央には、リッド３ａに設けられた結合穴３５に結合する小舌部４６が設けられている。なお、図１３は、説明の便宜上、舌部４５及び小舌部４６がカバー４の前壁４１から離れた状態を示す。但し、通常の使用では、舌部４５は内側に折り返され、舌部４５及び小舌部４６はカバー４の前壁４１の内面に接している。
【００６４】
（ブランク）
第三実施形態に係るパッケージ１０３は、アウタボックス２１ａ及びリッド３ａを成形する第１ブランクＢ１’と、インナフレーム２２を成形する第２ブランクＢ２と、カバー４を成形する第３ブランクＢ３の各所を折り込み、接合することで成形することができる。図１５Ａは、第１ブランクＢ１’を示し、図１５Ｂは、第２ブランクＢ２を示し、図１５Ｃは、第３ブランクＢ３を示す。第１ブランクＢ１’、第２ブランクＢ２、第３ブランクＢ３にはカード紙、マニラボール紙等の紙材、又はプラスチックシートなどの樹脂を用いることができるが、これらに限定されるものではない。また、ブランクの説明では、図の上下方向を基準に説明する。
【００６５】
図１５Ａに示すように、第三実施形態に係る第１ブランクＢ１’は、前壁パネルＰ１及び前壁パネルＰ１１の両側縁に、複数のフラップ５が設けられている点で、第一実施形態及び第二実施形態に係る第１ブランクＢ１と異なる。また、上壁パネルＰ８には、リッド３ａの前壁３３となる前壁パネルＰ１１の上縁の中央部に、この縁に沿って細長状の結合穴３５が設けられている。また、第一実施形態及び第二実施形態に係る第１ブランクＢ１は、Ｐ１１−１の上縁に前壁補強パネルＰ１１−１が連なっていたが、第三実施形態に係る第１ブランクＢ１’は前壁補強パネルＰ１１−１を有さない簡易な構成となっている。図１５Ｂに示すように、第三実施形態に係る第２ブランクＢ２は、第一実施形態及び第二実施形態に係る第２ブランクＢ２と同様である。
【００６６】
図１５Ｃに示すように、第３ブランクＢ３は、カバー４の前壁４１となる前壁パネルＰ１５を有しており、前壁パネルＰ１５の下縁には、カバー４の舌部４５となる舌部パネルＰ１６が連なり、前壁パネルＰ１５の上縁には、カバー４の上壁４１となる上壁パネルＰ２０が夫々連なっている。舌部パネルＰ１６は、長方形であり、下縁には小舌部４６が設けられている。また、前壁パネルＰ１５の両側縁には、カバー４の側壁４２の外壁となる側壁外パネルＰ１７，Ｐ１７、及びカバー４の側壁４２の内壁となる側壁内パネルＰ１８，Ｐ１８が順次連なっている。側壁内パネルＰ１８，Ｐ１８の上縁には、インナトップフラップＰ１９が連なっており、これらのインナトップフラップＰ１９は上壁パネルＰ２０に重ね合わされ、接着されることで、上壁４１の補強をなす。
【００６７】
上述した第１ブランクＢ１’、第２ブランクＢ２、及び第３ブランクＢ３は、図１５Ａ、図１５Ｂ、図１５Ｃ中破線で示した折り込み線で夫々折り込まれる。その結果、図１１から図１４に示すようなアウタボックス２１ａとリッド３ａとを含むパッケージ本体２ａ、及びカバー４が夫々成形される。第１ブランクＢ１’のアウタボックス区域Ｒ１においては、各折り込み線で折り込まれ、インナボトムフラップＰ６が下壁パネルＰ３に重ねられ、インナサイドフラップＰ５が側壁パネルＰ２に接着されることで、パッケージ本体２ａのアウタボックス２１が成形される。そして、アウタボックス区域Ｒ１の前壁パネルＰ１に対して、第２ブランクＢ２の前面パネルＰ１３が接着されることで、アウタボックス２１ａ及びインナフレーム２２が一体となったパッケージ本体２ａが成形される。
【００６８】
一方、第１ブランクＢ１’の蓋区域Ｒ２においては、各折り込み線で折り込まれ、側壁パネルＰ１２がインナサイドフラップＰ９に接着され、インナトップフラップＰ１０が上壁パネルＰ８に重ねられることで、リッド３ａが成形される。
【００６９】
第３ブランクＢ３についても、折り込み線で夫々折り込まれて、インナトップフラップＰ１９が上壁パネルＰ２０に重ね合わされた上で接着される。側壁内パネルＰ１８の幅は、側壁外パネルＰ１７の幅よりも短く形成されており、側壁パネルＰ１８を折り返すことで、図１３，図１４Ｂに示すような段差４４が形成される。なお、舌部パネルＰ１６は、前壁パネルＰ１５側に折り返されるのみで、接着はされない。以上により、カバー４が形成される。
【００７０】
（開閉動作）
次に、パッケージ１０３におけるリッド３の開閉動作について説明する。以下に説明する動作は、使用者が適宜外力を加えることで行われる。図１６Ａ、図１６Ｂ、図１６Ｃは、パッケージ１０３の動作を説明する斜視図を示す。図１７Ａ、図１７Ｂ、図１７Ｃは、パッケージ１０３の動作を説明する断面図を示し、リッド３ａを閉じた状態からカバー４をスライドした状態を示す。図１７Ｄ、図１７Ｅは、パッケージ１０３の動作を説明する断面図を示し、カバー４をスライドした後、リッド３ａをカバー４と共に回動した状態を示す。
【００７１】
パッケージ１０３は、リッド３ａが閉じられた状態では、カバー４がパッケージ１０３の前方側を全て覆うように位置する（図１６Ａ、図１７Ａ参照）。パッケージ１０３に収容されているシガレットを取り出す必要が無い場合（例えば、シガレットを収容するパッケージ１０３を持ち運ぶ際など）は、通常、パッケージ１０３は、図１６Ａ、図１７Ａに示す状態である。この状態では、カバー４は、アウタボックス２１ａの前壁２３及びリッド３ａの前壁３３を跨ぎ、アウタボックス２１ａの前壁２３及びリッド３ａの前壁３３の全面を覆っている。また、この状態では、カバー４の段差４４は、アウタボックス２１に設けられた複数のフラップ５及びリッド３ａに設けられた複数のフラップ５の全てに係合している。これにより、リッド３ａの開閉が規制される。
【００７２】
パッケージ１０３に収容されているシガレットを取り出す場合、カバー４に対して上方への外力が加えられ、カバー４がパッケージ１０３の前面に沿って上方にスライドする（図１７Ｂ参照）。カバー４の段差４４とアウタボックス２１に設けられた複数のフラップ５及びリッド３ａに設けられた複数のフラップ５との係合状態が維持されながら、カバー４がスライドする。カバー４の段差４４とフラップ５とが係合した状態では、カバー４は、幅方向及び前後方向の移動が規制され、上下方向の移動のみが許容される。カバー４が上方にスライドすると、パッケージ１０３の下側のフラップ５から順に係合状態が解除される。
【００７３】
更に、カバー４がパッケージ１０３の上方にスライドすると、カバー４の舌部４５の小舌部４６がリッド３ａの結合穴３５と結合する（図１６Ｂ、図１７Ｃ参照）。具体的には、カバー４の舌部４５と小舌部４６はアウタボックス２１ａの前壁２３と接しながら上方へ移動する。小舌部４６は、アウタボックス２１ａの前壁２３の上端縁まで移動すると、次にインナフレーム２２の前面フレーム２８と接して更に上方へ移動する。ここで、カバー４の舌部４５は、カバー４の前壁４１の内面側に折り返されており、カバー４の舌部４５には、カバー４の前壁４１と舌部４５との境界（折り目）を軸として、カバー４の前壁４１から離間する方向（パッケージ本体２ａ側）へ回動しようとする復元力が作用している。一方、インナフレーム２２の前面フレーム２８は、アウタボックス２１ａの前壁２３の厚さ分だけ後方側（奥側）に位置している。そのため、小舌部４６は、アウタボックス２１ａの前壁２３の上端縁を過ぎると、インナフレーム２２の前面フレーム２８と接して移動する。また、リッド３ａの前壁３３もアウタボックス２１ａの前壁２３と同様、インナフレーム２２の前面フレーム２８よりも前方側に位置している。そのため、小舌部４６は、インナフレーム２２の前面フレーム２８に接しながら更に上方へ移動すると、リッド３ａの前壁３３の下端縁からリッド３ａ内に侵入する。そして、小舌部４６は、リッド３ａの前壁３３の内面に沿って更に上方に移動する。舌部４５及び小舌部４６がリッド３ａ内を上方へ移動する際、舌部４５は、舌部４５の後方側の面をインナフレーム２２の前面フレーム２８によって支持される。また、パッケージ１０３にシガレットが十分に収容されている場合、舌部４５は、後方側の面を収容されたシガレットによって支持される。そのため、舌部４５の回動は、インナフレーム２２の前面フレーム２８やシガレットによって規制され、舌部４５及び小舌部４６はリッド３ａの前壁３３の内面に沿って上方へ移動する。そして、小舌部４６は、リッド３ａの前壁３３の上端縁に設けられた結合穴３５と結合する。小舌部４６が結合穴３５と結合すると、舌部４５の開放縁４５１がリッド３ａの上壁３２と接し、カバー４の上方への移動が規制される。なお、インナフレーム２２の前面フレーム２８がアウタボックス２１の前壁２３の厚さ分だけ後方側（奥側）に位置する構成など、小舌部４６を結合穴３５へ導く構成は、本発明の誘導部に相当する。
【００７４】
小舌部４６が結合穴３５と結合すると、リッド３ａの回動が可能となり、リッド３ａを開放するための外力が加えられると、パッケージ１０３が開放状態となる。具体的には、カバー４がリッド３ａ側にスライドしたことで、カバー４はリッドのみを覆う状態となる。換言すると、カバー４の段差４４は、アウタボックス２１ａのフラップ５との係合が全て解除され、リッド３ａのフラップ５とのみ係合する。そのため、リッド３ａの回動の規制が解除され、リッド３ａは、第１ヒンジ６を軸として回動自在となる（図１６Ｃ、図１７Ｄ、図１７Ｅ参照）。リッド３ａが回動する際、カバー４の小舌部４６とリッド３ａの結合穴３５とが結合しているため、リッド３ａはカバー４と共に回動する。リッド３ａが開放されることで、パッケージ１０３に収容されたシガレットの取り出しが可能となる。リッド３ａの開度は、パッケージ１０３に収容されるシガレットの本数に応じて適宜変更可能である。なお、第三実施形態に係るパッケージ１０３は、図１７Ｅに示すように、パッケージ１０３の開放状態において、逆Ｖ字型にすることができる。そのため、パッケージ１０３を垂直状体から僅かに後方に傾けた状態で平面上（例えば、机上や台上）に置くことができる。また、リッド３ａが開放された状態において、カバー４を下方（リッド３ａの前壁３３の下端縁方向）へ移動することで、カバー４は、リッド３ａから分離することができる。
【００７５】
リッド３ａを開放状態から閉じた状態にする場合、上述した回動動作と逆の動作が行われる。具体的には、リッド３ａを閉じた状態とするための外力が加えられると、リッド３ａがカバー４と共に回動して閉じた状態となる。リッド３ａが閉じた状態でカバー４に対して下方への外力が加えられると、リッド３ａが下方にスライドし、リッド３ａのフラップ５とのみ係合していた段差４４が徐々にアウタボックス２１ａのフラップ５とも係合していく。カバー４の下端縁がアウタボックス２１ａの前壁２３の下端縁と一致する位置までスライドすると、カバー４の上壁４３の内面がリッド３ａの上壁３２と接し、カバー４の下方へのスライドが規制される。そして、カバー４は、パッケージ１０３の前方側を全て覆う状態となる。その結果、リッド３ａの開閉が規制される。
【００７６】
（効果）
第三実施形態に係るパッケージ１０３は、カバー４がアウタボックス２１ａとリッド３ａとを跨いで覆うことで、リッド３ａが閉じた状態においてリッド３ａの回動を規制することができる。そのため、パッケージ１０３のリッド３ａをより確実に閉めることができる。また、カバー４には、パッケージ本体２ａやリッド３ａに加えて、更に印刷を施すことができる。そのため、パッケージ１０３は、従来よりも多くの印刷スペースを確保でき、消費者へのアピール力を高めることができる。なお、パッケージ本体２ａやカバー４の表面には、エンボス加工、ニスを厚く盛り凹凸をつける、静電植毛を施す等の加工を施し、アピール力をより高めてもよい。
【００７７】
＜第四実施形態＞
（構成）
図１８は、第四実施形態に係るパッケージ１０４において、リッド３が閉じられたパッケージ１０４を正面側の右斜め上方から眺めた状態を示す。上述した実施形態と同様の構成については同一符号を付し、説明は割愛する。
【００７８】
第四実施形態に係るパッケージ１０４は、インナフレームを備えておらず、例えば第三実施形態に係るパッケージ１０３よりも部品点数が少なく、より簡易な構成となっている。また、リッド３ｂの前壁３３ａの下端縁は、アウタボックス２１ｂの前壁２３の上端縁の形状と合致するよう逆Ｕ字状に形成され、リッド３ｂの前壁３３ａは台形状である。また、このリッド３ｂの前壁３３ａの下端縁の中央には、カバー４ａの舌部４５ａ及び小舌部４６ａが通る開口部３６ｂが設けられている。開口部３６ｂは、リッド３ｂの前壁３３ａの下端縁に沿って設けられ、長方形である。開口部３６ｂの間口（幅方向の長さ）は、小舌部４６ａがリッド３ｂに設けられた結合穴３５と結合できる位置まで舌部４５ａが通るよう設計されている。また、リッド３ｂの前壁３３ａの下端縁には、舌部４５ａや小舌部４６ａを支える、長方形の支え板３６ａが設けられている。支え板３６ａは、長方形であり、リッド３ｂの前壁３３ａの内面側に折り返されている。この支え板３６ａは、第一実施形態に係るパッケージ１０１のインナフレーム２２に代わり、カバー４ａがスライドする際、舌部４５ａ及び小舌部４６ａを内側から支持する。支え板３６ａは、単に折り返すだけでもよく、両端縁をリッド３ｂの前壁３３ａの内面に接着してもよい。接着することで、支え板３６ａは、舌部４５ａや小舌部４６ａをより安定的に支持することができる。
【００７９】
カバー４ａの舌部４５ａは、凡そホームベース型であり、頂点側（下側縁の反対側）に小舌部４５ａが設けられ、小舌部４５ａから延びる開放縁４５１ａが斜線となっている。舌部４５ａの幅は、開口部３６ｂよりも小さく形成されており、小舌部４６ａや舌部４５ａは、より円滑に開口部３６ｂを通ることができる。
【００８０】
（ブランク）
第四実施形態係るパッケージ１０４は、アウタボックス２１ｂ及びリッド３ｂを成形する第１ブランクＢ１’’と、カバー４を成形する第３ブランクＢ３’の各所を折り込み、接合することで成形されている。図１９Ａは、第１ブランクＢ１’’を示し、図１９Ｂは、第３ブランクＢ３’を示す。なお、ブランクの説明では、図の上下方向を基準に説明する。
【００８１】
図１９Ａに示すように、第四実施形態に係るブランクでは、第１ブランクＢ１’’において、前壁パネルＰ１１’が台形状であり、前壁パネルＰ１１’の上縁の中央部に、この縁に沿って開口部３６ｂが設けられている。また、前壁パネルＰ１１’の上縁には、支え板３６ａとなる支えパネルＰ１１−１が連なっている。
【００８２】
また、図１９Ｂに示すように、第３ブランクＢ３’において、凡そホームベース型の舌部パネルＰ１６’の下端縁に小舌部４６ａが設けられている。
【００８３】
（開閉動作）
図２０Ａ、図２０Ｂ、図２０Ｃは、第四実施形態に係るパッケージ１０４の動作を説明する断面図を示す。パッケージ１０４は、リッド３ａが閉じられた状態では、カバー４ａがパッケージ１０１の前方側を全て覆うように位置する（図２０Ａ参照）。
【００８４】
パッケージ１０４に収容されているシガレットを取り出す場合、カバー４に対して上方への外力が加えられ、カバー４ａがパッケージ１０４の前面に沿って上方にスライドする（図２０Ｂ参照）。更に、カバー４ａがパッケージ１０４の上方にスライドすると、カバー４ａの舌部４５ａの小舌部４６ａがリッド３ｂの結合穴３５と結合する（図２０Ｃ参照）。具体的には、カバー４ａの舌部４５ａと小舌部４６ａはアウタボックス２１ｂの前壁２３と接しながら上方へ移動する。小舌部４６ａは、アウタボックス２１ｂの前壁２３の上端縁まで移動すると、次に開口部３６ｂを通り、支え板３６ａと接して更に上方へ移動する。ここで、カバー４ａの舌部４５ａには、第三実施形態に係る舌部４と同じく、復元力が作用している。一方、支え板３６ａは、アウタボックス２１ｂの前壁２３の厚さ分だけ後方側（奥側）に位置している。そのため、小舌部４６ａは、開口部３６ｂを通り、支え板３６ａに支えられながら移動する。そして、舌部４５ａの回動は、支え板３６ａによって規制され、舌部４５ａ及び小舌部４６ａはリッド３ａの前壁３３ａの内面に沿って上方へ移動する。そして、小舌部４６ａは、リッド３ｂの前壁３３ａの上端縁に設けられた結合穴３５と結合する。小舌部４６ａが結合穴３５と結合すると、舌部４５ａの開放縁４５１ａがリッド３ａの上壁３２と接し、カバー４ａの上方への移動が規制される。なお、支え板３６ａや開口部３６ｂなど、小舌部４６を結合穴３５へ導く構成が、本発明の誘導部に相当する。
【００８５】
なお、図示は省略するが、小舌部４６ａが結合穴３５と結合すると、リッド３ｂの回動が可能となり、パッケージ１０４を開放状態とすることが可能となる。リッド３ｂが回動する際、カバー４ａの小舌部４６ａとリッド３ｂの結合穴３５とが結合しているため、リッド３ｂはカバー４ａと共に回動する。リッド３ｂが開放されることで、パッケージ１０４に収容されたシガレットの取り出しが可能となる。リッド３ｂの開度は、パッケージ１０４に収容されるシガレットの本数に応じて適宜変更可能である。また、パッケージ１０４も開放状態において、逆Ｖ字型にすることができる。また、リッド３ｂが開放された状態において、カバー４ａを下方（リッド３ｂの前壁３３ａの下端縁方向）へ移動することで、カバー４ａは、パッケージ本体２ｂから分離することができる。
【００８６】
（効果）
第四実施形態に係るパッケージ１０４も、カバー４ａがリッド３ｂとアウタボックス２１ｂを跨いで覆うことで、リッド３ｂが閉じた状態においてリッド３ｂの回動を規制することができる。そのため、パッケージ１０４のリッド３ｂをより確実に閉めることができる。また、カバー４ａには、パッケージ本体２ｂやリッド３ｂに加えて、更に印刷を施すことができる。そのため、パッケージ１０４は、従来よりも多くの印刷スペースを確保することができ、消費者へのアピール力を高めることができる。
【００８７】
更に、第四実施形態に係るパッケージ１０４は、インナフレームを備えておらず、第三実施形態に係るパッケージ１０３よりも部品点数を削減することができる。そのため、パッケージ１０４は、より簡易な構成とすることができる。
【００８８】
＜第五実施形態＞
（構成）
第五実施形態に係るパッケージ１０５は、カバー４ｂとアウタ７ａの双方を備える構成である。なお、既に説明した実施形態と同様の構成については同一符号を付し、説明は割愛する。
【００８９】
図２１は、リッド３ａが閉じられたパッケージ１０５を正面側の右斜め上方から眺めた状態を示す。図２２は、カバー４ｂ及びアウタ７ａが結合されたリッド３ａが開放されたパッケージ１０５を正面側の右斜め上方から眺めた状態を示す。図２３は、カバー４ｂ及びアウタ７ａがパッケージ１０５から取り外され、リッド３ａが開放されたパッケージ１０５を正面側の右斜め上方から眺めた状態を示す。なお、アウタ７ａは、パッケージ本体２ａやカバー４ｂと同素材、例えば紙材、又はプラスチックシートによって構成することができるが、これには限定されない。
【００９０】
パッケージ本体２ａは、アウタボックス２１ａと、リッド３ａとを含み、パッケージ１０５は、パッケージ本体２ａの前方側にカバー４ｂを備えている。カバー４ｂは、リッド３ａが閉じた状態において、アウタボックス２１ａの前壁２３及びリッド３ａの前壁３３の全面を覆う。なお、カバー４ｂの構成は基本的には第一実施形態と同様であるが、第五実施形態では、小舌部４６ｂが碇状であり、小舌部４６ｂが結合穴３５に結合されると、結合状態が解除されにくいよう構成されている。インナフレーム２２は、パッケージ１０１を構成する上で必須の部材ではない。すなわち、インナフレーム２２を省略し、パッケージ１０５は、より簡易な構成としてもよい。
【００９１】
第五実施形態に係るパッケージ１０５は、パッケージ本体２ａの後方側に更にアウタ７ａを備えている。アウタ７ａは、アウタボックス２１ａの後壁２４及びリッド３ａの後壁３１の全面を覆う。
【００９２】
（ブランク）
第五実施形態において、パッケージ１０５は、アウタボックス２１ａ及びリッド３ａを成形する第１ブランクＢ１’’と、インナフレーム２２を成形する第２ブランクＢ２と、カバー４ｂを成形する第３ブランクＢ３’’と、アウタ７ａを成形する第４ブランクＢ４’の各所を折り込み、接合することで成形することができる。図２４Ａは、第１ブランクＢ１’’を示し、図２４Ｂは、第２ブランクＢ２を示し、図２４Ｃは、第３ブランクＢ３’’を示し、図２４Ｄは、第４ブランクＢ４’を示す。第１ブランクＢ１’’、第２ブランクＢ２、第３ブランクＢ３’’、第４ブランクＢ４’にはカード紙、マニラボール紙等の紙材、又はプラスチックシートなどの樹脂を用いることができる。第１ブランクＢ１’’は、第四実施形態と同様である。第２ブランクＢ２は、第一実施形態と同様である。第３ブランクＢ３’’は、舌部パネルＰ１６’に、碇状の小舌部４６ｂが設けられている以外は、第四実施形態と同様である。また、第４ブランクＢ４’は、第二実施形態と同様である。
【００９３】
（開閉動作）
次に、第五実施形態に係るパッケージ１０５のリッド３ａの開閉動作について説明する。図２５Ａ、図２５Ｂ、図２５Ｃ、図２５Ｄは、第五実施形態に係るヒンジリッドパッケージの動作を説明する断面図を示す。なお、カバー４ｂの動作は、基本的に第三実施形態と同様であり、アウタ７ａの動作は基本的に第二実施形態と同様である。
【００９４】
パッケージ１０５は、リッド３ａが閉じられた状態では、カバー４ｂがパッケージ１０５の前方側を全て覆い、アウタ７ａがパッケージ１０５の後方側を覆う（図２５Ａ参照）。パッケージ１０５に収容されているシガレットを取り出す必要が無い場合は、通常、パッケージ１０５は、図２５Ａに示す状態である。この状態では、カバー４ｂは、アウタボックス２１ａの前壁２３及びリッド３ａの前壁３３を跨ぎ、アウタボックス２１ａの前壁２３及びリッド３ａの前壁３３の全面を覆っている。また、この状態では、カバー４ｂの段差４４は、アウタボックス２１ａに設けられた複数のフラップ５及びリッド３ａに設けられた複数のフラップ５の全てに係合している。これにより、リッド３の開閉が規制される。更に、第五実施形態では、アウタ７ａがパッケージ１０５の後方側を覆い、アウタ７ａの一組の側壁７３，７３、上壁７２、下壁７１でパッケージ本体２ａの周囲が覆われている。特に、アウタ７ａの上壁７２と下壁７１ａによって、リッド３ａを開く際に必要となる上下方向の動きが規制されている。従って、第五実施形態に係るパッケージ１０５では、リッド３ａの開閉がより強固に規制される。
【００９５】
パッケージ１０５に収容されているシガレットを取り出す場合、カバー４ｂに対して上方への外力が加えられ、カバー４ｂがパッケージ１０５の前面に沿って上方にスライドする（図２５Ｂ参照）。更に、カバー４ｂがパッケージ１０５の上方にスライドすると、リッド３ａの舌部４５の小舌部４６ｂがリッド３ｂの結合穴３５と結合する。小舌部４６ｂが結合穴３５と結合すると、舌部４５の開放縁４５１がリッド３の上壁３２と接し、カバー４ｂの上方への移動が規制される。そして、カバー４ｂはリッド３ａの前壁３３のみを覆う状態となる。カバー４の段差４４は、アウタボックス２１ａのフラップ５との係合が全て解除され、リッド３ａのフラップ５とのみ係合する。そのため、カバー４ｂによる、リッド３ａの回動の規制が解除される。第三実施形態に係るパッケージ１０３では、カバー４によるリッド３ａの回動の規制が解除されると、リッド３ａは第１ヒンジ６を軸として回動自在となった（図１６Ｃ、図１７Ｄ、図１７Ｅ参照）。これに対し、第五実施形態に係るパッケージ１０５は、アウタ７ａによってもリッド３ａの回動が規制されている。
【００９６】
第五実施形態に係るパッケージ１０５では、パッケージ本体２ａに対して前方（図２５Ａでは、上方）への外力が加えられることで、アウタ７ａによるリッド３ａの回動の規制が解除される（図２５Ｃ参照）。具体的には、パッケージ本体２ａに対して前方への外力が加えられると、パッケージ本体２ａが前方に徐々に移動し、アウタ７ａの上壁７２及び下壁７１ａによるパッケージ本体２ａの上下方向の移動を規制する力が徐々に弱まる（図２５Ｂ参照）。そして、パッケージ本体２ａの前方へ加えられる外力が、アウタ７ａの上壁７２及び下壁７１ａによるパッケージ本体２ａの上下方向の移動を規制する力を上回ると、リッド３ａが第１ヒンジ６を軸として回動する（図２５Ｃ参照）。ここで、リッド３ａの上壁３２の前方側がアウタ７ａの上壁７２の前方側の領域７２２と接着されているが、リッド３ａの上壁３２の後方側は接着されていない。そのため、リッド３ａが第１ヒンジ６を軸として回動すると、前方側の領域７２２と後方側の領域７２１との境界に存在する第２ヒンジ６１を軸としてリッド３ａの回動が許容される。また、アウタボックス２１ａの下壁２６の前方側、かつ小フラップ７１３の内側の領域がアウタ７ａの下壁７１ａの前方側の領域７１２ａと接着されているが、小フラップ７１３の外側の領域及びアウタボックス２１ａの下壁２６の後方側は接着されていない。そのため、アウタ７の下壁７１ａが弾性変形する。具体的には、リッド３ａが第１ヒンジ６を軸として回動すると、前方側の領域７１２ａと後方側の領域７１１ａとの境界がヒンジとして機能するとともに、小フラップ７１３の外側に位置する、アウタ７ａの下壁７１ａの前方側の領域７１２ａと後方側の領域７１１ａとの接続部分が撓み、アウタ７ａの下壁７１ａが弾性変形する。これにより、前方側の領域７１２と後方側の領域７１１との境界を単に直線状の折り目とし、前方側の領域７１２の内面の全てをアウタボックス２１の下壁２６の前方側に接着する場合と比較して、パッケージ本体２ａの上方側への移動量を増やすことができる（図２５Ｄ参照）。その結果、リッド３ａの開度を増すことができる。
【００９７】
（効果）
第五実施形態に係るパッケージ１０５は、カバー４ｂがアウタボックス２１ａとリッド３ａとを跨いで覆うことで、リッド３ａが閉じた状態においてリッド３ａの回動を規制することができる。また、アウタ７ａによってもリッド３ａの回動を規制することができるため、より強くリッド３ａの回動を規制することができる。そのため、パッケージ１０５のリッド３ａをより確実に閉めることができる。また、カバー４ｂには、パッケージ本体２ａやリッド３ａに加えて、更に印刷を施すことができる。そのため、パッケージ１０５は、従来よりも多くの印刷スペースを確保することができ、消費者へのアピール力を高めることができる。更に、カバー４ｂのみを備える構成と異なり、パッケージ１０５の外面が均一になり、外面の段差を無くすことができる。その結果、パッケージ１０５を衣服のポケット等に収容した場合の引っ掛かりを抑制することができる。
【００９８】
＜変形例＞
なお、上述した実施形態に例に係るパッケージ１０１，１０２，１０３，１０４，１０５は、適宜組み合わせることができ、また、種々の変形を加えることができる。例えば、パッケージ１０３，１０４，１０５における複数のフラップ５は、全て同じ大きさ、かつ、等間隔に配置されている。しかしながら、フラップ５は、大きさに変化を持たせたり、間隔に変化をつけるようにしてもよい。例えば、アウタボックス２１ａのフラップ５の形状又は間隔と、リッド３ａのフラップ５の形状又は間隔を異なるようにしてもよい。これにより、カバー４をスライドする際の振動が変化する。この振動の変化が使用者の手指に伝達されることで、使用者は、例えば、カバー４がリッド３ａ側にスライドし、リッド３ａの開閉が可能になったことを、目視せずに認識することができる。
【００９９】
また、複数のフラップ５に代えて、複数のフラップを連結して一続きとしたレールを用いてもよい。この場合、パッケージは紙製としてもよいが、樹脂製とすることで、パッケージをより容易に成形することができる。
【０１００】
また、複数のフラップ５は、パッケージ本体２ａの後方側の両側縁に設けるようにしてもよい。この場合、カバー４は、上壁４３に変えて下壁を備える構成とすればよい。この場合、カバー４の上壁４３、舌部４５、リッド３の結合穴３５が不要となり、例えば、パッケージ１０３はより簡易な構成となる。この場合、カバー４を下方にスライドさせることで、リッド３ａの開閉が可能となる。
【０１０１】
また、カバー４は、前壁４１と側壁４２とによって構成してもよい。この場合にも、カバー４の上壁４３、舌部４５、リッド３の結合穴３５が不要となり、例えば、パッケージ１０３はより簡易な構成となる。この場合、カバー４は、上方又は下方の何れか一方にスライドさせることで、リッド３ａの開閉が可能となる。
【０１０２】
また、カバー４は、アウタボックス２１とリッド３ａとを跨いで覆っていればよく、リッド３ａの前壁３３の一部とアウタボックス２１ａの前壁２３の一部を覆うものでもよい。
【０１０３】
以上、本発明の好適な実施形態を説明したが、本発明に係るヒンジリッドパッケージは、可能な限り各実施例を組み合わせて実施することができる。また、本実施形態では、ヒンジリッドパッケージに収容する被収容物の好適な適用例として、フィルタシガレットや両切シガレット等のたばこ商品を挙げたが、これには限定されず、たばこ商品以外の物品をパッケージに収容してもよい。
【符号の説明】
【０１０４】
１０１，１０２，１０３，１０４，１０５・・・ヒンジリッドパッケージ
２，２ａ・・・パッケージ本体
３，３ａ・・・リッド
４，４ａ，４ｂ・・・カバー
５・・・フラップ
６・・・第１ヒンジ
７，７ａ・・・アウタ
２１ａ・・・アウタボックス
２２・・・インナフレーム
【図１】
2014068702.tif 000003
【図２Ａ】
2014068702.tif 000004
【図２Ｂ】
2014068702.tif 000005
【図３】
2014068702.tif 000006
【図４Ａ】
2014068702.tif 000007
【図４Ｂ】
2014068702.tif 000008
【図４Ｃ】
2014068702.tif 000009
【図５Ａ】
2014068702.tif 000010
【図５Ｂ】
2014068702.tif 000011
【図６】
2014068702.tif 000012
【図７Ａ】
2014068702.tif 000013
【図７Ｂ】
2014068702.tif 000014
【図８】
2014068702.tif 000015
【図９Ａ】
2014068702.tif 000016
【図９Ｂ】
2014068702.tif 000017
【図９Ｃ】
2014068702.tif 000018
【図１０Ａ】
2014068702.tif 000019
【図１０Ｂ】
2014068702.tif 000020
【図１０Ｃ】
2014068702.tif 000021
【図１１】
2014068702.tif 000022
【図１２】
2014068702.tif 000023
【図１３】
2014068702.tif 000024
【図１４Ａ】
2014068702.tif 000025
【図１４Ｂ】
2014068702.tif 000026
【図１５Ａ】
2014068702.tif 000027
【図１５Ｂ】
2014068702.tif 000028
【図１５Ｃ】
2014068702.tif 000029
【図１６Ａ】
2014068702.tif 000030
【図１６Ｂ】
2014068702.tif 000031
【図１６Ｃ】
2014068702.tif 000032
【図１７Ａ】
2014068702.tif 000033
【図１７Ｂ】
2014068702.tif 000034
【図１７Ｃ】
2014068702.tif 000035
【図１７Ｄ】
2014068702.tif 000036
【図１７Ｅ】
2014068702.tif 000037
【図１８】
2014068702.tif 000038
【図１９Ａ】
2014068702.tif 000039
【図１９Ｂ】
2014068702.tif 000040
【図２０Ａ】
2014068702.tif 000041
【図２０Ｂ】
2014068702.tif 000042
【図２０Ｃ】
2014068702.tif 000043
【図２１】
2014068702.tif 000044
【図２２】
2014068702.tif 000045
【図２３】
2014068702.tif 000046
【図２４Ａ】
2014068702.tif 000047
【図２４Ｂ】
2014068702.tif 000048
【図２４Ｃ】
2014068702.tif 000049
【図２４Ｄ】
2014068702.tif 000050
【図２５Ａ】
2014068702.tif 000051
【図２５Ｂ】
2014068702.tif 000052
【図２５Ｃ】
2014068702.tif 000053
【図２５Ｄ】
2014068702.tif 000054
【手続補正書】
【提出日】平成28年2月19日(2016.2.19)
【手続補正１】
【補正対象書類名】特許請求の範囲
【補正対象項目名】全文
【補正方法】変更
【補正の内容】
【特許請求の範囲】
【請求項１】
上部に開口端を有し、内部に被収容物を収容する略直方体形状の収容部と、
前記開口端の後側開口縁にヒンジを介して回動可能に連結され、前記開口端を開閉する蓋部と、を含むパッケージ本体を備えるヒンジリッドパッケージであって、
前記パッケージ本体の後壁側に設けられ、当該パッケージ本体の後壁側を覆う後壁と、当該後壁と直交する、上壁、下壁、及び側壁を含むアウタを更に備え、前記アウタの上壁の奥行は、前記パッケージ本体の蓋部の上壁の奥行よりも短く、前記アウタの下壁の少なくとも一部は前記パッケージ本体の下壁と接続され、前記アウタの上壁の少なくとも一部は前記蓋部の上壁と接続される、ヒンジリッドパッケージ。
【請求項２】
前記アウタの上壁の奥行は、前記パッケージ本体の蓋部の上壁の奥行の略２分の１である、請求項１に記載のヒンジリッドパッケージ。
【請求項３】
前記アウタの下壁は、前記パッケージの下壁の外面の前方領域に接着される前方側の接着領域と、前記パッケージの下壁に接着されない後方側の非接着領域を有し、前記接着領域と前記非接着領域の境界には切り込みが設けられている、請求項１又は２に記載のヒンジリッドパッケージ。
【請求項４】
前記パッケージ本体の前壁側に設けられ、前記収容部と前記蓋部とを跨いで覆い、前記蓋部の回動を規制するカバーを更に備える、請求項１から３の何れか１項に記載のヒンジリッドパッケージ。
【手続補正２】
【補正対象書類名】明細書
【補正対象項目名】００２２
【補正方法】変更
【補正の内容】
【００２２】
【図１】図１は、第一実施形態に係るヒンジリッドパッケージのリッドを閉じた状態の斜視図を示す。
【図２Ａ】図２Ａは、第一実施形態に係るヒンジリッドパッケージのリッドを開放した状態の斜視図を示す（１）。
【図２Ｂ】図２Ｂは、第一実施形態に係るヒンジリッドパッケージのリッドを開放した状態の斜視図を示す（２）。
【図３】図３は、第一実施形態に係るヒンジリッドパッケージの分解斜視図を示す。
【図４Ａ】図４Ａは、第一実施形態に係るブランク（第１ブランク）を示す。
【図４Ｂ】図４Ｂは、第一実施形態に係るブランク（第２ブランク）を示す。
【図４Ｃ】図４Ｃは、第一実施形態に係るブランク（第４ブランク）を示す。
【図５Ａ】図５Ａは、第一実施形態に係るヒンジリッドパッケージの動作を説明する側面図を示す（１）。
【図５Ｂ】図５Ｂは、第一実施形態に係るヒンジリッドパッケージの動作を説明する側面図を示す（２）。
【図６】図６は、第二実施形態に係るヒンジリッドパッケージのリッドを閉じた状態の斜視図を示す。
【図７Ａ】図７Ａは、第二実施形態に係るヒンジリッドパッケージのリッドを開放した状態の斜視図を示す（１）。
【図７Ｂ】図７Ｂは、第二実施形態に係るヒンジリッドパッケージのリッドを開放した状態の斜視図を示す（２）。
【図８】図８は、第二実施形態に係るヒンジリッドパッケージの分解斜視図を示す。
【図９Ａ】図９Ａは、第二実施形態に係るブランク（第１ブランク）を示す。
【図９Ｂ】図９Ｂは、第二実施形態に係るブランク（第２ブランク）を示す。
【図９Ｃ】図９Ｃは、第二実施形態に係るブランク（第４ブランク）を示す。
【図１０Ａ】図１０Ａは、第二実施形態に係るヒンジリッドパッケージの動作を説明する側面図を示す（１）。
【図１０Ｂ】図１０Ｂは、第二実施形態に係るヒンジリッドパッケージの動作を説明する側面図を示す（２）。
【図１０Ｃ】図１０Ｃは、第二実施形態に係るヒンジリッドパッケージの動作を説明する側面図を示す（３）。
【図１１】図１１は、参考例１に係るヒンジリッドパッケージのリッドを閉じた状態の斜視図を示す。
【図１２】図１２は、参考例１に係るヒンジリッドパッケージのリッドを開放した状態の斜視図を示す。
【図１３】図１３は、参考例１に係るヒンジリッドパッケージにおいて、カバーがパッケージから取り外され、リッドが開放された状態の斜視図を示す。
【図１４Ａ】図１４Ａは、参考例１に係るヒンジリッドパッケージの斜視図を示す。
【図１４Ｂ】図１４Ｂは、参考例１に係るヒンジリッドパッケージの断面図を示す。
【図１５Ａ】図１５Ａは、参考例１に係るブランク（第１ブランク）を示す。
【図１５Ｂ】図１５Ｂは、参考例１に係るブランク（第２ブランク）を示す。
【図１５Ｃ】図１５Ｃは、参考例１に係るブランク（第３ブランク）を示す。
【図１６Ａ】図１６Ａは、参考例１に係るヒンジリッドパッケージの動作を説明する斜視図を示す（１）。
【図１６Ｂ】図１６Ｂは、参考例１に係るヒンジリッドパッケージの動作を説明する斜視図を示す（２）。
【図１６Ｃ】図１６Ｃは、参考例１に係るヒンジリッドパッケージの動作を説明する斜視図を示す（３）。
【図１７Ａ】図１７Ａは、参考例１に係るヒンジリッドパッケージの動作を説明する断面図（１）を示す。
【図１７Ｂ】図１７Ｂは、参考例１に係るヒンジリッドパッケージの動作を説明する断面図（２）を示す。
【図１７Ｃ】図１７Ｃは、参考例１に係るヒンジリッドパッケージの動作を説明する断面図（３）を示す。
【図１７Ｄ】図１７Ｄは、参考例１に係るヒンジリッドパッケージの動作を説明する断面図（４）を示す。
【図１７Ｅ】図１７Ｅは、参考例１に係るヒンジリッドパッケージの動作を説明する断面図（５）を示す。
【図１８】図１８は、参考例２に係るヒンジリッドパッケージの斜視図を示す。
【図１９Ａ】図１９Ａは、参考例２に係るブランク（第１ブランク）を示す。
【図１９Ｂ】図１９Ｂは、参考例２に係るブランク（第３ブランク）を示す。
【図２０Ａ】図２０Ａは、参考例２に係るヒンジリッドパッケージの動作を説明する断面図を示す（１）。
【図２０Ｂ】図２０Ｂは、参考例２に係るヒンジリッドパッケージの動作を説明する断面図を示す（２）。
【図２０Ｃ】図２０Ｃは、参考例２に係るヒンジリッドパッケージの動作を説明する断面図を示す（３）。
【図２１】図２１は、第三実施形態に係るヒンジリッドパッケージのリッドを閉じた状態の斜視図を示す。
【図２２】図２２は、第三実施形態に係るヒンジリッドパッケージのリッドを開放した状態の斜視図を示す。
【図２３】図２３は、第三実施形態に係るヒンジリッドパッケージにおいて、カバー及びアウタがパッケージから取り外され、リッドが開放された状態の斜視図を示す。
【図２４Ａ】図２４Ａは、第三実施形態に係るブランク（第１ブランク）を示す。
【図２４Ｂ】図２４Ｂは、第三実施形態に係るブランク（第２ブランク）を示す。
【図２４Ｃ】図２４Ｃは、第三実施形態に係るブランク（第３ブランク）を示す。
【図２４Ｄ】図２４Ｄは、第三実施形態に係るブランク（第４ブランク）を示す。
【図２５Ａ】図２５Ａは、第三実施形態に係るヒンジリッドパッケージの動作を説明する断面図を示す（１）。
【図２５Ｂ】図２５Ｂは、第三実施形態に係るヒンジリッドパッケージの動作を説明する断面図を示す（２）。
【図２５Ｃ】図２５Ｃは、第三実施形態に係るヒンジリッドパッケージの動作を説明する断面図を示す（３）。
【図２５Ｄ】図２５Ｄは、第三実施形態に係るヒンジリッドパッケージの動作を説明する断面図を示す（４）。
【手続補正３】
【補正対象書類名】明細書
【補正対象項目名】００５７
【補正方法】変更
【補正の内容】
【００５７】
＜参考例１＞
（構成）
参考例１に係るヒンジリッドパッケージ１０３は、アウタボックス２１ａとリッド３ａとを含むパッケージ本体２ａと、カバー４とを含んで構成されている。なお、第一実施形態及び第二実施形態と同様の構成については同一符号を付し、説明は割愛する。
【手続補正４】
【補正対象書類名】明細書
【補正対象項目名】００５８
【補正方法】変更
【補正の内容】
【００５８】
図１１は、リッド３ａが閉じられたパッケージ１０３を正面側の右斜め上方から眺めた状態を示す。図１２は、カバー４が結合されたリッド３ａが開放されたパッケージ１０３を正面側の右斜め上方から眺めた状態を示す。図１３は、カバー４がパッケージ１０３から取り外され、リッド３ａが開放されたパッケージ１０３を正面側の右斜め上方から眺めた状態を示す。なお、図１３は、説明の便宜上、カバー４とパッケージ１０３とを取り外した状態を示す。但し、図１２に示すように、通常、カバー４とパッケージ１０３は、結合されて使用される。図１４Ａは、参考例１に係るヒンジリッドパッケージの斜視図を示し、図１４Ｂは、図１４Ａのｂ―ｂ断面図を示す。
【手続補正５】
【補正対象書類名】明細書
【補正対象項目名】００５９
【補正方法】変更
【補正の内容】
【００５９】
参考例１に係るパッケージ１０３は、パッケージ本体２ａに更に複数のフラップ５が設けられている点で、第一実施形態や第二実施形態に係るパッケージ１０１，１０２と構成が異なる。具体的には、参考例１に係るアウタボックス２１ａは、アウタボックス２１ａの前壁２３と側壁２５とのコーナー部分、及びリッド３ａの前壁３３と側壁３４のコーナー部分に、本発明の係合部に相当するフラップ５が複数設けられている。参考例１では、アウタボックス２１ａ側の複数のフラップ５は、何れも同じ寸法の長方形であり、アウタボックス２１ａの前壁２３と同一面上に、アウタボックス２１ａの前壁２３の両側縁から突出するように等間隔で配置されている。また、リッド３ａ側の複数のフラップ５も、何れも同じ寸法の長方形であり、リッド３ａの前壁３３と同一面上に、リッド３aの前壁３
３の両側縁から突出するように等間隔で配置されている。そして、アウタボックス２１ａ側の複数のフラップ５とリッド３ａ側の複数のフラップ５は、リッド３ａが閉じた状態において、同一直線状に位置する。
【手続補正６】
【補正対象書類名】明細書
【補正対象項目名】００６０
【補正方法】変更
【補正の内容】
【００６０】
参考例１に係るパッケージ１０３は、パッケージ本体２ａの前方側に設けられるカバー４を備えている。カバー４は、リッド３ａが閉じた状態において、アウタボックス２１ａの前壁２３及びリッド３ａの前壁３３の全面を覆う。
【手続補正７】
【補正対象書類名】明細書
【補正対象項目名】００６１
【補正方法】変更
【補正の内容】
【００６１】
カバー４は、前壁４１、側壁４２，４２、上壁４３を有する。カバー４の前壁４１は長方形であり、アウタボックス２１ａの前壁２３の面積とリッド３ａの前壁３３の面積の和と凡そ同じ面積を有している。そのため、カバー４は、リッド３ａが閉じた状態において、アウタボックス２１ａの前壁２３及びリッド３ａの前壁３３の全面を覆うことができる。カバー４の側壁４２は、前側縁がカバー４の前壁４１の両側縁及びカバー４の上壁４３の前側縁と連結している。カバー４の一組の側壁４２は、長方形であり、互いに対向して
おり、カバー４の前壁４１とカバー４の一組の側壁４２は直交している。参考例１では、カバー４の側壁４２の奥行（短手方向の長さ）が、パッケージ本体２ａの奥行の約２分の１に設計されている。カバー４の側壁４２の高さ（長手方向の長さ）は、パッケージ本体２ａの高さよりも僅かに大きく設計されている。カバー４の上壁４３は、長方形であり、カバー４の前壁４１及び側壁４２と直交している。カバー４の上壁４３の奥行は、パッケージ本体２ａの奥行の約２分の１に設計され、カバー４の上壁４３の幅は、パッケージ本体２ａの幅よりも僅かに大きく設計されている。
【手続補正８】
【補正対象書類名】明細書
【補正対象項目名】００６２
【補正方法】変更
【補正の内容】
【００６２】
また、カバー４の両側壁４２の内側の前壁４１側には、本発明の被係合部に相当する段差４４が設けられている（図１３、図１４Ｂ参照）。参考例１に係る段差４４は、カバー４の側壁４２の素材の厚さを利用して形成されている。具体的には、カバー４の側壁４２は、素材が折り返されることで２重構造であり、カバー４の前壁４１側の一部を１重構造とすることで、段差４４が形成されている。この段差４４には、先に説明した複数のフラップ５が係合する。段差４４に複数のフラップ５が係合することで、カバー４は、パッケージ１０３の前側面に沿って、上下方向の移動のみが許容される。
【手続補正９】
【補正対象書類名】明細書
【補正対象項目名】００６４
【補正方法】変更
【補正の内容】
【００６４】
（ブランク）
参考例１に係るパッケージ１０３は、アウタボックス２１ａ及びリッド３ａを成形する第１ブランクＢ１’と、インナフレーム２２を成形する第２ブランクＢ２と、カバー４を成形する第３ブランクＢ３の各所を折り込み、接合することで成形することができる。図１５Ａは、第１ブランクＢ１’を示し、図１５Ｂは、第２ブランクＢ２を示し、図１５Ｃは、第３ブランクＢ３を示す。第１ブランクＢ１’、第２ブランクＢ２、第３ブランクＢ３にはカード紙、マニラボール紙等の紙材、又はプラスチックシートなどの樹脂を用いることができるが、これらに限定されるものではない。また、ブランクの説明では、図の上下方向を基準に説明する。
【手続補正１０】
【補正対象書類名】明細書
【補正対象項目名】００６５
【補正方法】変更
【補正の内容】
【００６５】
図１５Ａに示すように、参考例１に係る第１ブランクＢ１’は、前壁パネルＰ１及び前壁パネルＰ１１の両側縁に、複数のフラップ５が設けられている点で、第一実施形態及び第二実施形態に係る第１ブランクＢ１と異なる。また、上壁パネルＰ８には、リッド３ａの前壁３３となる前壁パネルＰ１１の上縁の中央部に、この縁に沿って細長状の結合穴３５が設けられている。また、第一実施形態及び第二実施形態に係る第１ブランクＢ１は、Ｐ１１−１の上縁に前壁補強パネルＰ１１−１が連なっていたが、参考例１に係る第１ブ
ランクＢ１’は前壁補強パネルＰ１１−１を有さない簡易な構成となっている。図１５Ｂに示すように、参考例１に係る第２ブランクＢ２は、第一実施形態及び第二実施形態に係る第２ブランクＢ２と同様である。
【手続補正１１】
【補正対象書類名】明細書
【補正対象項目名】００７４
【補正方法】変更
【補正の内容】
【００７４】
小舌部４６が結合穴３５と結合すると、リッド３ａの回動が可能となり、リッド３ａを開放するための外力が加えられると、パッケージ１０３が開放状態となる。具体的には、カバー４がリッド３ａ側にスライドしたことで、カバー４はリッドのみを覆う状態となる。換言すると、カバー４の段差４４は、アウタボックス２１ａのフラップ５との係合が全て解除され、リッド３ａのフラップ５とのみ係合する。そのため、リッド３ａの回動の規制が解除され、リッド３ａは、第１ヒンジ６を軸として回動自在となる（図１６Ｃ、図１７Ｄ、図１７Ｅ参照）。リッド３ａが回動する際、カバー４の小舌部４６とリッド３ａの結合穴３５とが結合しているため、リッド３ａはカバー４と共に回動する。リッド３ａが開放されることで、パッケージ１０３に収容されたシガレットの取り出しが可能となる。リッド３ａの開度は、パッケージ１０３に収容されるシガレットの本数に応じて適宜変更可能である。なお、参考例１に係るパッケージ１０３は、図１７Ｅに示すように、パッケージ１０３の開放状態において、逆Ｖ字型にすることができる。そのため、パッケージ１０３を垂直状体から僅かに後方に傾けた状態で平面上（例えば、机上や台上）に置くことができる。また、リッド３ａが開放された状態において、カバー４を下方（リッド３ａの前壁３３の下端縁方向）へ移動することで、カバー４は、リッド３ａから分離することができる。
【手続補正１２】
【補正対象書類名】明細書
【補正対象項目名】００７６
【補正方法】変更
【補正の内容】
【００７６】
（効果）
参考例１に係るパッケージ１０３は、カバー４がアウタボックス２１ａとリッド３ａとを跨いで覆うことで、リッド３ａが閉じた状態においてリッド３ａの回動を規制することができる。そのため、パッケージ１０３のリッド３ａをより確実に閉めることができる。また、カバー４には、パッケージ本体２ａやリッド３ａに加えて、更に印刷を施すことができる。そのため、パッケージ１０３は、従来よりも多くの印刷スペースを確保でき、消費者へのアピール力を高めることができる。なお、パッケージ本体２ａやカバー４の表面には、エンボス加工、ニスを厚く盛り凹凸をつける、静電植毛を施す等の加工を施し、アピール力をより高めてもよい。
【手続補正１３】
【補正対象書類名】明細書
【補正対象項目名】００７７
【補正方法】変更
【補正の内容】
【００７７】
＜参考例２＞
（構成）
図１８は、参考例２に係るパッケージ１０４において、リッド３が閉じられたパッケージ１０４を正面側の右斜め上方から眺めた状態を示す。上述した実施形態及び参考例と同様の構成については同一符号を付し、説明は割愛する。
【手続補正１４】
【補正対象書類名】明細書
【補正対象項目名】００７８
【補正方法】変更
【補正の内容】
【００７８】
参考例２に係るパッケージ１０４は、インナフレームを備えておらず、例えば参考例１に係るパッケージ１０３よりも部品点数が少なく、より簡易な構成となっている。また、リッド３ｂの前壁３３ａの下端縁は、アウタボックス２１ｂの前壁２３の上端縁の形状と合致するよう逆Ｕ字状に形成され、リッド３ｂの前壁３３ａは台形状である。また、このリッド３ｂの前壁３３ａの下端縁の中央には、カバー４ａの舌部４５ａ及び小舌部４６ａが通る開口部３６ｂが設けられている。開口部３６ｂは、リッド３ｂの前壁３３ａの下端縁に沿って設けられ、長方形である。開口部３６ｂの間口（幅方向の長さ）は、小舌部４６ａがリッド３ｂに設けられた結合穴３５と結合できる位置まで舌部４５ａが通るよう設計されている。また、リッド３ｂの前壁３３ａの下端縁には、舌部４５ａや小舌部４６ａを支える、長方形の支え板３６ａが設けられている。支え板３６ａは、長方形であり、リッド３ｂの前壁３３ａの内面側に折り返されている。この支え板３６ａは、第一実施形態に係るパッケージ１０１のインナフレーム２２に代わり、カバー４ａがスライドする際、舌部４５ａ及び小舌部４６ａを内側から支持する。支え板３６ａは、単に折り返すだけでもよく、両端縁をリッド３ｂの前壁３３ａの内面に接着してもよい。接着することで、支え板３６ａは、舌部４５ａや小舌部４６ａをより安定的に支持することができる。
【手続補正１５】
【補正対象書類名】明細書
【補正対象項目名】００８０
【補正方法】変更
【補正の内容】
【００８０】
（ブランク）
参考例２に係るパッケージ１０４は、アウタボックス２１ｂ及びリッド３ｂを成形する第１ブランクＢ１’’と、カバー４を成形する第３ブランクＢ３’の各所を折り込み、接合することで成形されている。図１９Ａは、第１ブランクＢ１’’を示し、図１９Ｂは、第３ブランクＢ３’を示す。なお、ブランクの説明では、図の上下方向を基準に説明する。
【手続補正１６】
【補正対象書類名】明細書
【補正対象項目名】００８１
【補正方法】変更
【補正の内容】
【００８１】
図１９Ａに示すように、参考例２に係るブランクでは、第１ブランクＢ１’’において、前壁パネルＰ１１’が台形状であり、前壁パネルＰ１１’の上縁の中央部に、この縁に沿って開口部３６ｂが設けられている。また、前壁パネルＰ１１’の上縁には、支え板３６ａとなる支えパネルＰ１１−１が連なっている。
【手続補正１７】
【補正対象書類名】明細書
【補正対象項目名】００８３
【補正方法】変更
【補正の内容】
【００８３】
（開閉動作）
図２０Ａ、図２０Ｂ、図２０Ｃは、参考例２に係るパッケージ１０４の動作を説明する断面図を示す。パッケージ１０４は、リッド３ａが閉じられた状態では、カバー４ａがパッケージ１０１の前方側を全て覆うように位置する（図２０Ａ参照）。
【手続補正１８】
【補正対象書類名】明細書
【補正対象項目名】００８４
【補正方法】変更
【補正の内容】
【００８４】
パッケージ１０４に収容されているシガレットを取り出す場合、カバー４に対して上方への外力が加えられ、カバー４ａがパッケージ１０４の前面に沿って上方にスライドする（図２０Ｂ参照）。更に、カバー４ａがパッケージ１０４の上方にスライドすると、カバー４ａの舌部４５ａの小舌部４６ａがリッド３ｂの結合穴３５と結合する（図２０Ｃ参照）。具体的には、カバー４ａの舌部４５ａと小舌部４６ａはアウタボックス２１ｂの前壁２３と接しながら上方へ移動する。小舌部４６ａは、アウタボックス２１ｂの前壁２３の上端縁まで移動すると、次に開口部３６ｂを通り、支え板３６ａと接して更に上方へ移動する。ここで、カバー４ａの舌部４５ａには、参考例１に係る舌部４と同じく、復元力が作用している。一方、支え板３６ａは、アウタボックス２１ｂの前壁２３の厚さ分だけ後方側（奥側）に位置している。そのため、小舌部４６ａは、開口部３６ｂを通り、支え板３６ａに支えられながら移動する。そして、舌部４５ａの回動は、支え板３６ａによって規制され、舌部４５ａ及び小舌部４６ａはリッド３ａの前壁３３ａの内面に沿って上方へ移動する。そして、小舌部４６ａは、リッド３ｂの前壁３３ａの上端縁に設けられた結合穴３５と結合する。小舌部４６ａが結合穴３５と結合すると、舌部４５ａの開放縁４５１ａがリッド３ａの上壁３２と接し、カバー４ａの上方への移動が規制される。なお、支え板３６ａや開口部３６ｂなど、小舌部４６を結合穴３５へ導く構成が、本発明の誘導部に相当する。
【手続補正１９】
【補正対象書類名】明細書
【補正対象項目名】００８６
【補正方法】変更
【補正の内容】
【００８６】
（効果）
参考例２に係るパッケージ１０４も、カバー４ａがリッド３ｂとアウタボックス２１ｂを跨いで覆うことで、リッド３ｂが閉じた状態においてリッド３ｂの回動を規制することができる。そのため、パッケージ１０４のリッド３ｂをより確実に閉めることができる。また、カバー４ａには、パッケージ本体２ｂやリッド３ｂに加えて、更に印刷を施すことができる。そのため、パッケージ１０４は、従来よりも多くの印刷スペースを確保することができ、消費者へのアピール力を高めることができる。
【手続補正２０】
【補正対象書類名】明細書
【補正対象項目名】００８７
【補正方法】変更
【補正の内容】
【００８７】
更に、参考例２に係るパッケージ１０４は、インナフレームを備えておらず、参考例１に係るパッケージ１０３よりも部品点数を削減することができる。そのため、パッケージ１０４は、より簡易な構成とすることができる。
【手続補正２１】
【補正対象書類名】明細書
【補正対象項目名】００８８
【補正方法】変更
【補正の内容】
【００８８】
＜第三実施形態＞
（構成）
第三実施形態に係るパッケージ１０５は、カバー４ｂとアウタ７ａの双方を備える構成である。なお、既に説明した実施形態及び参考例と同様の構成については同一符号を付し、説明は割愛する。
【手続補正２２】
【補正対象書類名】明細書
【補正対象項目名】００９０
【補正方法】変更
【補正の内容】
【００９０】
パッケージ本体２ａは、アウタボックス２１ａと、リッド３ａとを含み、パッケージ１０５は、パッケージ本体２ａの前方側にカバー４ｂを備えている。カバー４ｂは、リッド３ａが閉じた状態において、アウタボックス２１ａの前壁２３及びリッド３ａの前壁３３の全面を覆う。なお、カバー４ｂの構成は基本的には第一実施形態と同様であるが、第三実施形態では、小舌部４６ｂが碇状であり、小舌部４６ｂが結合穴３５に結合されると、結合状態が解除されにくいよう構成されている。インナフレーム２２は、パッケージ１０１を構成する上で必須の部材ではない。すなわち、インナフレーム２２を省略し、パッケージ１０５は、より簡易な構成としてもよい。
【手続補正２３】
【補正対象書類名】明細書
【補正対象項目名】００９１
【補正方法】変更
【補正の内容】
【００９１】
第三実施形態に係るパッケージ１０５は、パッケージ本体２ａの後方側に更にアウタ７ａを備えている。アウタ７ａは、アウタボックス２１ａの後壁２４及びリッド３ａの後壁３１の全面を覆う。
【手続補正２４】
【補正対象書類名】明細書
【補正対象項目名】００９２
【補正方法】変更
【補正の内容】
【００９２】
（ブランク）
第三実施形態において、パッケージ１０５は、アウタボックス２１ａ及びリッド３ａを成形する第１ブランクＢ１’’と、インナフレーム２２を成形する第２ブランクＢ２と、カバー４ｂを成形する第３ブランクＢ３’’と、アウタ７ａを成形する第４ブランクＢ４’の各所を折り込み、接合することで成形することができる。図２４Ａは、第１ブランクＢ１’’を示し、図２４Ｂは、第２ブランクＢ２を示し、図２４Ｃは、第３ブランクＢ３’’を示し、図２４Ｄは、第４ブランクＢ４’を示す。第１ブランクＢ１’’、第２ブランクＢ２、第３ブランクＢ３’’、第４ブランクＢ４’にはカード紙、マニラボール紙等の紙材、又はプラスチックシートなどの樹脂を用いることができる。第１ブランクＢ１’’は、参考例２と同様である。第２ブランクＢ２は、第一実施形態と同様である。第３ブランクＢ３’’は、舌部パネルＰ１６’に、碇状の小舌部４６ｂが設けられている以外は、参考例２と同様である。また、第４ブランクＢ４’は、第二実施形態と同様である。
【手続補正２５】
【補正対象書類名】明細書
【補正対象項目名】００９３
【補正方法】変更
【補正の内容】
【００９３】
（開閉動作）
次に、第三実施形態に係るパッケージ１０５のリッド３ａの開閉動作について説明する。図２５Ａ、図２５Ｂ、図２５Ｃ、図２５Ｄは、第三実施形態に係るヒンジリッドパッケージの動作を説明する断面図を示す。なお、カバー４ｂの動作は、基本的に参考例１と同様であり、アウタ７ａの動作は基本的に第二実施形態と同様である。
【手続補正２６】
【補正対象書類名】明細書
【補正対象項目名】００９４
【補正方法】変更
【補正の内容】
【００９４】
パッケージ１０５は、リッド３ａが閉じられた状態では、カバー４ｂがパッケージ１０５の前方側を全て覆い、アウタ７ａがパッケージ１０５の後方側を覆う（図２５Ａ参照）。パッケージ１０５に収容されているシガレットを取り出す必要が無い場合は、通常、パッケージ１０５は、図２５Ａに示す状態である。この状態では、カバー４ｂは、アウタボックス２１ａの前壁２３及びリッド３ａの前壁３３を跨ぎ、アウタボックス２１ａの前壁２３及びリッド３ａの前壁３３の全面を覆っている。また、この状態では、カバー４ｂの段差４４は、アウタボックス２１ａに設けられた複数のフラップ５及びリッド３ａに設けられた複数のフラップ５の全てに係合している。これにより、リッド３の開閉が規制される。更に、第三実施形態では、アウタ７ａがパッケージ１０５の後方側を覆い、アウタ７ａの一組の側壁７３，７３、上壁７２、下壁７１でパッケージ本体２ａの周囲が覆われている。特に、アウタ７ａの上壁７２と下壁７１ａによって、リッド３ａを開く際に必要となる上下方向の動きが規制されている。従って、第三実施形態に係るパッケージ１０５では、リッド３ａの開閉がより強固に規制される。
【手続補正２７】
【補正対象書類名】明細書
【補正対象項目名】００９５
【補正方法】変更
【補正の内容】
【００９５】
パッケージ１０５に収容されているシガレットを取り出す場合、カバー４ｂに対して上方への外力が加えられ、カバー４ｂがパッケージ１０５の前面に沿って上方にスライドする（図２５Ｂ参照）。更に、カバー４ｂがパッケージ１０５の上方にスライドすると、リッド３ａの舌部４５の小舌部４６ｂがリッド３ｂの結合穴３５と結合する。小舌部４６ｂが結合穴３５と結合すると、舌部４５の開放縁４５１がリッド３の上壁３２と接し、カバー４ｂの上方への移動が規制される。そして、カバー４ｂはリッド３ａの前壁３３のみを覆う状態となる。カバー４の段差４４は、アウタボックス２１ａのフラップ５との係合が全て解除され、リッド３ａのフラップ５とのみ係合する。そのため、カバー４ｂによる、リッド３ａの回動の規制が解除される。参考例１に係るパッケージ１０３では、カバー４によるリッド３ａの回動の規制が解除されると、リッド３ａは第１ヒンジ６を軸として回動自在となった（図１６Ｃ、図１７Ｄ、図１７Ｅ参照）。これに対し、第三実施形態に係るパッケージ１０５は、アウタ７ａによってもリッド３ａの回動が規制されている。
【手続補正２８】
【補正対象書類名】明細書
【補正対象項目名】００９６
【補正方法】変更
【補正の内容】
【００９６】
第三実施形態に係るパッケージ１０５では、パッケージ本体２ａに対して前方（図２５Ａでは、上方）への外力が加えられることで、アウタ７ａによるリッド３ａの回動の規制が解除される（図２５Ｃ参照）。具体的には、パッケージ本体２ａに対して前方への外力が加えられると、パッケージ本体２ａが前方に徐々に移動し、アウタ７ａの上壁７２及び下壁７１ａによるパッケージ本体２ａの上下方向の移動を規制する力が徐々に弱まる（図２５Ｂ参照）。そして、パッケージ本体２ａの前方へ加えられる外力が、アウタ７ａの上壁７２及び下壁７１ａによるパッケージ本体２ａの上下方向の移動を規制する力を上回ると、リッド３ａが第１ヒンジ６を軸として回動する（図２５Ｃ参照）。ここで、リッド３ａの上壁３２の前方側がアウタ７ａの上壁７２の前方側の領域７２２と接着されているが、リッド３ａの上壁３２の後方側は接着されていない。そのため、リッド３ａが第１ヒンジ６を軸として回動すると、前方側の領域７２２と後方側の領域７２１との境界に存在する第２ヒンジ６１を軸としてリッド３ａの回動が許容される。また、アウタボックス２１ａの下壁２６の前方側、かつ小フラップ７１３の内側の領域がアウタ７ａの下壁７１ａの前方側の領域７１２ａと接着されているが、小フラップ７１３の外側の領域及びアウタボックス２１ａの下壁２６の後方側は接着されていない。そのため、アウタ７の下壁７１ａが弾性変形する。具体的には、リッド３ａが第１ヒンジ６を軸として回動すると、前方側の領域７１２ａと後方側の領域７１１ａとの境界がヒンジとして機能するとともに、小フラップ７１３の外側に位置する、アウタ７ａの下壁７１ａの前方側の領域７１２ａと後方側の領域７１１ａとの接続部分が撓み、アウタ７ａの下壁７１ａが弾性変形する。これにより、前方側の領域７１２と後方側の領域７１１との境界を単に直線状の折り目とし、前方側の領域７１２の内面の全てをアウタボックス２１の下壁２６の前方側に接着する場合と比較して、パッケージ本体２ａの上方側への移動量を増やすことができる（図２５Ｄ参照）。その結果、リッド３ａの開度を増すことができる。
【手続補正２９】
【補正対象書類名】明細書
【補正対象項目名】００９７
【補正方法】変更
【補正の内容】
【００９７】
（効果）
第三実施形態に係るパッケージ１０５は、カバー４ｂがアウタボックス２１ａとリッド３ａとを跨いで覆うことで、リッド３ａが閉じた状態においてリッド３ａの回動を規制することができる。また、アウタ７ａによってもリッド３ａの回動を規制することができるため、より強くリッド３ａの回動を規制することができる。そのため、パッケージ１０５のリッド３ａをより確実に閉めることができる。また、カバー４ｂには、パッケージ本体２ａやリッド３ａに加えて、更に印刷を施すことができる。そのため、パッケージ１０５は、従来よりも多くの印刷スペースを確保することができ、消費者へのアピール力を高めることができる。更に、カバー４ｂのみを備える構成と異なり、パッケージ１０５の外面が均一になり、外面の段差を無くすことができる。その結果、パッケージ１０５を衣服のポケット等に収容した場合の引っ掛かりを抑制することができる。
【手続補正３０】
【補正対象書類名】明細書
【補正対象項目名】００９８
【補正方法】変更
【補正の内容】
【００９８】
＜変形例＞
なお、上述した実施形態及び参考例に係るパッケージ１０１，１０２，１０３，１０４，１０５は、適宜組み合わせることができ、また、種々の変形を加えることができる。例えば、パッケージ１０３，１０４，１０５における複数のフラップ５は、全て同じ大きさ、かつ、等間隔に配置されている。しかしながら、フラップ５は、大きさに変化を持たせたり、間隔に変化をつけるようにしてもよい。例えば、アウタボックス２１ａのフラップ５の形状又は間隔と、リッド３ａのフラップ５の形状又は間隔を異なるようにしてもよい。これにより、カバー４をスライドする際の振動が変化する。この振動の変化が使用者の手指に伝達されることで、使用者は、例えば、カバー４がリッド３ａ側にスライドし、リッド３ａの開閉が可能になったことを、目視せずに認識することができる。
【国際調査報告】
2014068702.tif 000055
2014068702.tif 000056
2014068702.tif 000057
2014068702.tif 000058
2014068702.tif 000059
2014068702.tif 000060